(57)【要約】本発明は、ＳＴＭ伝送系においてクロスコネクトを行うノード装置と、そのノード装置と連係する保守運用支援装置とに関する。本発明の目的は、所望の伝送区間やリンクの解放を効率的に達成できることにある。そのために、本発明にかかわるノード装置は、自局と他局とに収容された通信装置の間におけるパスの形成に供され得るリンクを個別に選択する制御手段と、選択されたリンクを介してパスを形成するクロスコネクト手段とを備え、代替のパスで代替されるべき全てのパスの識別子が与えられたときに、制御手段が系構成に基づいて予備のリンクを選択することによって構成される。
2004040853.tif 000002
【特許請求の範囲】
【請求項１】
二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスの識別子を含む指令が外部から与えられたときに、前記二重化の方式に適合した系構成に基づいて、これらのパスが個別に形成されるべき予備のリンクを選択する
ことを特徴とするノード装置。
【請求項２】
自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスと、これらの代替のパスが形成されるべき代替のリンクとの識別子を含む指令が外部から与えられたときに、これらの代替のリンクを優先的に選択する
ことを特徴とするノード装置。
【請求項３】
請求の範囲１に記載のノード装置において、
前記指令に含まれる識別子で示され、かつ代替のリンクに形成されるべきパスは、
特定の伝送区間に形成された全てのパスである
ことを特徴とするノード装置。
【請求項４】
請求の範囲２に記載のノード装置において、
前記指令に含まれる識別子で示され、かつ代替のリンクに形成されるべきパスは、
特定の伝送区間に形成された全てのパスである
ことを特徴とするノード装置。
【請求項５】
二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と
並行して解放され得るリンクの集合毎に、その集合に属するリンクに形成された全てのパスの識別子が登録された記憶手段とを備え、
前記制御手段は、
解放されるべきリンクの識別子の集合を示す指令が外部から与えられたときに、前記二重化の方式に適合した系構成に基づいて、その集合に対応付けられて前記記憶手段に登録された識別子で示される全てのパスが個別に形成されるべき予備のリンクを選択する
ことを特徴とするノード装置。
【請求項６】
自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と、
並行して解放され得るリンクの集合毎に、その集合に属するリンクに形成された全てのパスに対して、この集合に属さず、これらのパスに代わる個々の代替のパスが形成されるべき代替のリンクの識別子が登録された記憶手段とを備え、
前記制御手段は、
解放されるべきリンクの識別子の集合を示す指令が外部から与えられたときに、その集合に対応付けられて前記記憶手段に登録された識別子で示される全てのパスと全てのリンクとを特定し、これらの全てのパスについて、代替のリンクを優先的に選択する
ことを特徴とするノード装置。
【請求項７】
請求の範囲５に記載のノード装置において、
前記指令に含まれる識別子で示され、かつ解放されるべきリンクは、
特定の伝送区間に形成された全てのリンクである
ことを特徴とするノード装置。
【請求項８】
請求の範囲６に記載のノード装置において、
前記指令に含まれる識別子で示され、かつ解放されるべきリンクは、
特定の伝送区間に形成された全てのリンクである
ことを特徴とするノード装置。
【請求項９】
請求の範囲１に記載のノード装置において、
前記クロスコネクト手段は、
前記制御手段によって選択されたリンクに形成されたパスの更新を保留する
ことを特徴とするノード装置。
【請求項１０】
請求の範囲２に記載のノード装置において、
前記クロスコネクト手段は、
前記制御手段によって選択されたリンクに形成されたパスの更新を保留する
ことを特徴とするノード装置。
【請求項１１】
請求の範囲５に記載のノード装置において、
前記クロスコネクト手段は、
前記制御手段によって選択されたリンクに形成されたパスの更新を保留する
ことを特徴とするノード装置。
【請求項１２】
請求の範囲６に記載のノード装置において、
前記クロスコネクト手段は、
前記制御手段によって選択されたリンクに形成されたパスの更新を保留する
ことを特徴とするノード装置。
【請求項１３】
請求の範囲１に記載のノード装置において、
前記指令は、
先行する伝送区間に形成されたリンクの余剰の伝送帯域を介して引き渡された情報である
ことを特徴とするノード装置。
【請求項１４】
請求の範囲２に記載のノード装置において、
前記指令は、
先行する伝送区間に形成されたリンクの余剰の伝送帯域を介して引き渡された情報である
ことを特徴とするノード装置。
【請求項１５】
請求の範囲５に記載のノード装置において、
前記指令は、
先行する伝送区間に形成されたリンクの余剰の伝送帯域を介して引き渡された情報である
ことを特徴とするノード装置。
【請求項１６】
請求の範囲６に記載のノード装置において、
前記指令は、
先行する伝送区間に形成されたリンクの余剰の伝送帯域を介して引き渡された情報である
ことを特徴とするノード装置。
【請求項１７】
請求の範囲１に記載のノード装置において、
前記指令は、
前記クロスコネクト手段に接続されたリンクの何れの先行する伝送区間とも異なる特定の通信リンクを介して引き渡された情報である
ことを特徴とするノード装置。
【請求項１８】
請求の範囲２に記載のノード装置において、
前記指令は、
前記クロスコネクト手段に接続されたリンクの何れの先行する伝送区間とも異なる特定の通信リンクを介して引き渡された情報である
ことを特徴とするノード装置。
【請求項１９】
請求の範囲５に記載のノード装置において、
前記指令は、
前記クロスコネクト手段に接続されたリンクの何れの先行する伝送区間とも異なる特定の通信リンクを介して引き渡された情報である
ことを特徴とするノード装置。
【請求項２０】
請求の範囲６に記載のノード装置において、
前記指令は、
前記クロスコネクト手段に接続されたリンクの何れの先行する伝送区間とも異なる特定の通信リンクを介して引き渡された情報である
ことを特徴とするノード装置。
【請求項２１】
請求の範囲１に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
【請求項２２】
請求の範囲２に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
【請求項２３】
請求の範囲５に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
【請求項２４】
請求の範囲６に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
【請求項２５】
リンク毎に形成され全てのパスと、網に配置されたノードの内、これらのパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段２１に登録された個々のノード宛に、そのノードと共にこの記憶手段に登録されたパスを含む指令を一括して配信する指令配信手段２３と
を備えたことを特徴とする保守運用支援装置。
【請求項２６】
リンク毎に形成された全てのパスと、これらのパスに代わる代替のパスが形成されるべき代替のリンクと、網に配置されたノードの内、これらの代替のパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段に登録された個々のノード宛に、そのノードと共にこの記憶手段に登録されたパスと代替のリンクとを含む指令を一括して配信する指令配信手段と
を備えたことを特徴とする保守運用支援装置。
【請求項２７】
請求の範囲２６に記載の保守運用支援装置において、
前記リンクの全てが二重化されたリンクである
ことを特徴とする保守運用支援装置。
【請求項２８】
請求の範囲２５に記載の保守運用支援装置において、
前記記憶手段には、
前記網の構成に適合した集合毎に、その集合に属するリンクが予め登録され、
マンマシンインタフェース手段は、
外部から指定された集合に対応して前記記憶手段に登録された全てのリンクを前記解放されるべきリンクとして識別する
ことを特徴とする保守運用支援装置。
【請求項２９】
請求の範囲２６に記載の保守運用支援装置において、
前記記憶手段には、
前記網の構成に適合した集合毎に、その集合に属するリンクが予め登録され、
マンマシンインタフェース手段は、
外部から指定された集合に対応して前記記憶手段に登録された全てのリンクを前記解放されるべきリンクとして識別する
ことを特徴とする保守運用支援装置。
【請求項３０】
請求の範囲２８に記載の保守運用支援装置において、
前記集合は、
前記網の保守または運用にかかわる作業の対象となる伝送区間とリンクとの双方もしくは何れか一方の組み合わせである
ことを特徴とする保守運用支援装置。
【請求項３１】
請求の範囲２９に記載の保守運用支援装置において、
前記集合は、
前記網の保守または運用にかかわる作業の対象となる伝送区間とリンクとの双方もしくは何れか一方の組み合わせである
ことを特徴とする保守運用支援装置。
【発明の詳細な説明】
【技術分野】  本発明は、同期伝送モードが適用された伝送系において、伝送区間毎に配置され、かつクロスコネクトを行うノード装置と、これらのノード装置と連係することによってそのクロスコネクトに基づくリンクおよびパスを維持する保守運用支援装置とに関する。
【背景技術】  新同期インタフェース（ＳＤＨ：Ｓｙｎｃｈｒｏｎｏｕｓ  Ｄｉｇｉｔａｌ  Ｈｉｅｒａｒｃｈｙ）は、低次群から高次群に亘る多様な信号の同期化と、高次群における伝送情報の柔軟な編集とに併せて、伝送路の多様な保守や運用にかかわる監視、試験および制御が可能であるために、Ｂ−ＩＳＤＮその他の幹線系だけではなく、私設網にも広く適用されている。
図９は、新同期インタフェースが適用された網の構成例を示す図である。
図において、ＵＰＳＲ（Ｕｎｉｄｉｒｅｃｔｉｏｎａｌ  Ｐａｔｈ  Ｓｗｉｔｃｈｅｄ  Ｒｉｎｇ）として環状に形成され、かつ常用冗長方式に基づいて二重化された網４１にはノード装置４２−ａ〜４２−ｄが配置され、これらのノード装置４２−ａ〜４２−ｄは監視制御装置５１にＬＡＮ５２を介して接続される。
これらのノード装置４２−ａ〜４２−ｄの内、ノード装置４２−ａは、下記の要素から構成される。
・  網４１の直近の２つの伝送区間にそれぞれ接続された高速インタフェース部（ＨＩＦ）４３Ｗ−ａ、４３Ｅ−ａ
・  これらの高速インタフェース部４３Ｗ−ａ、４３Ｅ−ａの段間に配置されたクロスコネクト（ＸＣ）部４４−ａ
・  上述した高速インタフェース部４３Ｗ−ａ、４３Ｅ−ａに個別に対応したクロスコネクト部４４−ａの２つの低速出力に縦続接続されたパススイッチ（ＰＳＷ）４５−ａ
・  そのパススイッチ４５−ａの出力およびクロスコネクト部４４−ａの低速入力と、ノード装置４２−ａに収容された個々の通信装置（図示されない。）とのインタフェースをとる低速インタフェース部（ＬＩＦ）４６−ａ
・  クロスコネクト部４４−ａの一方の制御端子に接続された保持メモリ（ＨＭ）４７−ａ
・  クロスコネクト部４４−ａの他方の制御端子とパススイッチ４５−ａの制御端子とに接続され、かつＬＡＮ５２に接続された監視制御部４８−ａ
なお、ノード装置４２−ｂ〜４２−ｄの構成については、ノード装置４２−ａの構成と基本的に同じであるので、以下では、機能および構成が同じ要素、添え文字「ａ」に代わる添え文字「ｂ」〜「ｄ」が付加された同じ符号を付与し、ここでは、その詳細な説明を省略する。
このような構成の網では、ノード装置４２−ａ〜４２−ｄの各部が下記の通りに連係することによって、所定の次群（例えば、伝送速度が５２Ｍｂｐｓであるパス）の単位にクロスコネクトが行われ、かつ網４１を介してこれらのノード装置４２−ａ〜４２−ｄに収容された通信装置の間に所定のパスが形成される。
なお、以下では、ノード装置４２−ａ〜４２−ｄに共通の事項については、添え文字「ａ」〜「ｄ」の何れにも該当し得ることを意味する添え文字「Ｃ」を適用して記載する。
また、以下では、ノード装置４２−ａ〜４２−ｄの間にそれぞれ形成された何れの伝送区間についても、該当する伝送区間の両端に配置された２つのノードの符号に個別に付加された添え文字（例えば、ノード装置４２−ａからノード装置４２−ｂに至る伝送区間については、「ａｂ」）を付して示す。
保持メモリ４７−Ｃには、網４１の先行する伝送区間と後続する伝送区間との間と、これらの伝送区間の何れかとノード装置４２−Ｃに収容された通信装置との間とにそれぞれ形成されたパスを示す制御情報が局情報（監視制御部４８−Ｃによって更新された局情報を含む。）として格納される。
クロスコネクト部４４−Ｃは、このような局情報で示される全てのパスを網４１の先行する伝送区間と後続する伝送区間との間と、これらの伝送区間の何れかとノード装置４２−Ｃに収容された通信装置との間とに形成する。
さらに、パススイッチ４５−Ｃは、クロスコネクト部４４−Ｃの低速出力の内、上記の通信装置に個別に接続されるべきパスに対応した低速出力（隣接する２つの伝送区間の入方路の何れか一方に対応する。）を監視制御部４８−Ｃの主導の下で選択し、その低速出力を低速インタフェース部４６−Ｃに接続する。
また、保守や運用の過程では、例えば、ノードの増設や試験の対象として伝送区間ａｂが解放されるべき場合には、各部は下記の通りに連係する。
・  監視制御装置５１は、伝送区間ａｂ、ｂｃ、ｃｄ、ｄａ、ａｄ、ｄｃ、ｃｂ、ｂａの何れかを介して形成されている現用のパスと、各伝送区間の余剰の伝送容量の範囲で予め確保され、これらの現用のパスに代わり得る予備のパスとを一元的に管理する。
・  監視制御装置５１は、操作者によって伝送区間ａｂが「解放されるべき伝送区間」として指定されると、その伝送区間ａｂを介して形成されている全てのパス（以下、個別に「特定パス」という。）を特定する。
・  監視制御装置５１は、上述した管理の下で、これらの特定のパスを個別に代替し得る予備のパスを特定し、これらの予備のパスの何れについても、対応する特定パスの識別子と、この特定パスの両端に配置されたノード装置の識別子とを所定のマンマシンインタフェースに基づいて操作者に通知する。
・  さらに、監視制御装置５１は、これらの特定のパスの何れかが操作者によって指定される度に、該当する特定のパスにかかわる系構成情報（上述した管理に供される。）を更新し、かつＬＡＮ５２を介して対応する予備のパスの両端に配置された２つのノード装置宛に、これらの特定のパスおよび予備のパスの識別子を含む「切り替え指令」を送出する。
・  ノード装置４２−ａ〜４２−ｄの内、上述した２つのノード装置に個別に備えられた監視制御部４８−Ｃは、このような「切り替え指令」に含まれる識別子で示される特定のパスを予備のパスで代替することをパススイッチ部４５−Ｃに指令する。
ところで、このような従来例では、上述した「切り替え指令」は、操作者によって特定のパスが指定されない限り、何れのノード装置宛にも送出されず、その操作者によって指定された個々の特定のパス毎に、その特定のパスの両端に配置された２つのノード装置宛に送出されていた。
したがって、伝送区間ａｂがノードの増設や試験の対象として解放されるためには、多くの回数（最大の回数は、例えば、ビットレートが１０ギガバイト／秒である次群において５２メガビット／秒のビットレート毎にクロスコネクトが行われるべき次群の数に等しい「１９２」となる。）に亘って手作業が行われなければならず、かつ全ての特定のパスが漏れなく正確に指定されるためには、操作者に対する「実体的な系構成を示す適切な情報」の提供と誤操作の回避とが確度高く達成されるマンマシンインタフェースが図られなければならなかった。
しかし、クロスコネクトが行われるべき伝送区間の次群は、特に、幹線系の網では、データ系の伝送サービスの需要の増大に応じてさらに高い次群にシフトする可能性が高いために、所望の伝送区間の解放にかかわる工数の増大とその解放の確度の低下とが大幅に軽減される技術が強く要望されていた。
【発明の開示】
本発明は、基本的な構成が大幅に変更されることなく、所望の伝送区間やリンクの解放が効率的に達成されるノード装置および保守運用支援装置を提供することを目的とする。
また、本発明の目的は、総合的な信頼性が低下することなく、伝送系の伝送品質およびサービス品質が高く維持される点にある。
さらに、本発明の目的は、要求に応じて他のパスで代替されるべきパスが形成されたリンクが効率的に、かつ確度高く解放される点にある。
また、本発明の目的は、所望の伝送区間の解放が円滑に、かつ確度高く図られる点にある。
さらに、本発明の目的は、何れのリンクに複数あるいは多数の現用のリンクが形成された場合であっても、既述の予備のリンクが系構成の下で定まる限り、これらのパスが形成されたリンクが効率的に、かつ確度高く解放される点にある。
また、本発明の目的は、個々のリンクの次群と、既述の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される点にある。
さらに、本発明の目的は、保守、運用その他の要求が優先され、その要求に応じて解放された特定の伝送区間やリンクが安定に確保される点にある。
また、本発明の目的は、指令の送信端や中継端との間に専用の通信リンクが敷設されなければならない場合に比べて、構成の簡略化と信頼性の向上とに併せて、コストの削減が図られる点にある。
さらに、本発明の目的は、特定の通信リンクを介して保守や運用にかかわる監視および制御の業務が行われるべきサイトの地理的な制約が解消され、これらの保守や運用の多様な形態に対する柔軟な適応が可能となる点にある。
また、本発明の目的は、構成の簡略化と、信頼性の向上とに併せて、コストの削減が図られる点にある。
さらに、本発明の目的は、従来例に比べて、所望の伝送区間やリンクの解放にかかわる作業の省力化および効率化が図られる点にある。
また、本発明の目的は、解放されるべき伝送区間やリンクの組み合わせおよび数の如何にかかわらず、既述の指令の伝送に伴うトラヒックの増加が緩和される点にある。
さらに、本発明の目的は、解放されるべきリンクや伝送区間の指定にかかわる操作が簡略化され、かつ保守や運用にかかわる作業の効率化が図られる点にある。
また、本発明の目的は、保守や運用にかかわる多様な作業の形態に対する柔軟な適応に併せて、これらの作業の効率化が図られる点にある。
上述した目的は、代替のパスが形成されるべき全てのパスの識別子を含む指令が外部から与えられたときに、これらのパスの二重化の方式に適合した系構成に基づいて、これらの代替のパスが個別に形成されるべき予備のリンクを選択する点に特徴があるノード装置によって達成される。
このようなノード装置では、外部から指定された全てのパスは、これらのパスに代わるパスが形成されるべき代替のリンクが何ら指定されなくても、上述した二重化の方式に適合した系構成の下で定まる予備のリンクに形成される。
したがって、これらのリンクの次群が高く、あるいは上述した要求に応じて代替されるべきパスの数が多数ある場合であっても、これらのパスが形成されたリンクが効率的に、かつ確度高く解放される。
上述した目的は、代替のパスが形成されるべき全てのパスと、これらの代替のパスが形成されるべき代替のリンクとの識別子を含む指令が外部から与えられたときに、これらの代替のリンクを優先的に選択する点に特徴があるノード装置によって達成される。
このようなノード装置では、保守、運用その他の要求に応じて代替されるべき全てのパスについて一括して外部から指定され、これらのパスに代わるパスが形成されるべき代替のリンクに代替のパスを形成することができる。
したがって、物理的なリンクが如何なる形態で冗長に構成された場合であっても、既述の代替のリンクが系構成の下で定まる限り、これらのパスが形成されたリンクが効率的に、かつ確度高く解放される。
上述した目的は、指令に含まれる識別子で示され、かつ代替のリンクに形成されるべきパスが特定の伝送区間に形成された全てのパスである点に特徴があるノード装置によって達成される。
このようなノード装置では、上述した特定の伝送区間に形成された全てのパスは、何れもこの特定の伝送区間を含まない代替のリンクに形成された他のパスで代替される。
したがって、所望の伝送区間の解放が円滑に、かつ確度高く図られる。
上述した目的は、解放されるべきリンクの識別子の集合を示す指令が外部から与えられたときに、これらのリンクの二重化の方式に適合した系構成に基づいて、その集合に対応付けられて登録された識別子で示される全てのパスが個別に形成されるべき予備のリンクを選択する点に特徴があるノード装置によって達成される。
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列と、既述の二重化の方式に適合した系構成とに基づいて自立的に選択される。
したがって、何れのリンクに複数あるいは多数の現用のリンクが形成された場合であっても、既述の予備のリンクが系構成の下で定まる限り、これらのパスが形成されたリンクが効率的に、かつ確度高く解放される。
上述した目的は、解放されるべきリンクの識別子の集合を示す指令が外部から与えられたときに、その集合に対応付けられて登録された識別子で示される全てのパスと全てのリンクとを特定し、これらの全てのパスについて、代替のリンクを優先的に選択する点に特徴があるノード装置によって達成される。
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列に基づいて自立的に選択される。
したがって、何れのリンクに複数あるいは多数の現用のリンクが形成されている場合であっても、これらのパスが形成されたリンクが効率的に、かつ確度高く解放される。
上述した目的は、指令に含まれる識別子で示され、かつ解放されるべきリンクが「特定の伝送区間に形成された全てのリンク」である点に特徴があるノード装置によって達成される。
このようなノード装置では、上述した特定の伝送区間に形成された全てのパスは、何れもこの特定の伝送区間を含まない代替のリンクに形成された他のパスで代替される。
したがって、所望の伝送区間の解放が円滑に、かつ確度高く図られる。
上述した目的は、既述の選択されたリンクに形成されたパスの更新を保留する点に特徴があるノード装置によって達成される。
このようなノード装置では、保守、連用その他の要求に応じた特定の伝送区間やリンクの解放を目的として代替のリンクに形成された全てのパスは、他のリンクに形成された他のパスでさらに代替されることなく維持される。
したがって、上述した保守、運用その他の要求が優先され、その要求に応じて解放された特定の伝送区間やリンクが安定に確保される。
上述した目的は、指令が「先行する伝送区間に形成されたリンクの余剰の伝送帯域」を介して引き渡された情報として与えられる点に特徴があるノード装置によって達成される。
このようなノード装置では、上述した指令は、その指令の送信端や中継端との間に専用の通信リンクが敷設されていない場合であっても、確実に与えられる。
したがって、このような専用の通信リンクが敷設されなければならない場合に比べて、構成の簡略化と信頼性の向上とに併せて、コストの削減が図られる。
上述した目的は、指令が「何れの先行する伝送区間とも異なる特定の通信リンク」を介して引き渡された情報として与えられる点に特徴があるノード装置によって達成される。
このようなノード装置では、上述した指令は、その指令の送信端や中継端が既存のリンクが敷設された地域に存在しない場合であっても、上述した特定の通信リンクを介して確実に与えられる。
したがって、保守や運用の多様な形態に対する柔軟な適応が可能となる。
上述した目的は、指令にはその指令の宛先に該当するノード装置の識別子が含まれ、かつ後続する伝送区間の余剰の伝送帯域を介して宛先が自局に該当しない指令を中継する点に特徴があるノード装置によって達成される。
このようなノード装置では、上述した指令は、クロスコネクトの対象となるリンクの余剰の伝送帯域が活用されることによって、この指令の宛先である他のノードに引き渡される。
したがって、構成の簡略化と、信頼性の向上とに併せて、コストの削減が図られる。
上述した目的は、指定されたリンクに対応して予め登録された個々のノード宛に、そのノードと共に登録されたパスを含む指令を一括して配信する点に特徴がある保守運用支援装置によって達成される。
このような保守運用支援装置では、上述した指定されたリンクに形成された全てのパスの両端に配置された個々のノードに対して、該当する全てのパスに代わる代替のパスを一括して通知することができる。
したがって、従来例に比べて、所望の伝送区間やリンクの解放にかかわる作業の省力化および効率化が図られる。
上述した目的は、指定されたリンクに対応して予め登録された個々のノード宛に、そのノードと共に登録されたパスと代替のリンクとを含む指令を一括して配信する点に特徴がある保守運用支援装置によって達成される。
このような保守運用支援装置では、指定されたリンクに形成された全てのパスの両端に配置された個々のノードに対して、該当する全てのパスと、これらのパスに代わる代替のパスが形成されるべき代替のリンクとを一括して通知することができる。
したがって、従来例に比べて、所望の伝送区間やリンクの解放にかかわる作業の省力化および効率化が図られる。
上述した目的は、リンクの全てが二重化されたリンクである点に特徴がある保守運用支援装置によって達成される。
このような保守運用支援装置では、何れのパスの両端に配置されたノードに対しても、該当するパスに代わる代替のパスが形成されるべきリンクを通知することが不要となる。
したがって、解放されるべき伝送区間やリンクの組み合わせや数の如何にかかわらず、既述の指令の伝送に伴うトラヒックの増加が緩和される。
上述した目的は、網の構成に適合した集合毎にその集合に属するリンクが予め登録され、かつ外部から指定された集合に対応して登録された全てのリンクを解放されるべきリンクとして識別される点に特徴がある保守運用支援装置によって達成される。
このような保守運用支援装置では、解放されるべきリンクや伝送区間の組み合わせは、既知の集合として予め定義される限り、外部から単一の集合として指定される。
したがって、上述したリンクや伝送区間の指定にかかわる操作が簡略化され、かつ保守や運用にかかわる作業の効率化が図られる。
上述した目的は、集合が「網の保守または運用にかかわる作業の対象となる伝送区間とリンクとの双方もしくは何れか一方の組み合わせ」である点に特徴がある保守運用支援装置によって達成される。
このような保守運用支援装置では、上述した作業の対象となる伝送区間やリンクの組み合わせは、保守や運用にかかわる作業が繁雑化することなく関連するノードに確度高く通知される。
したがって、保守や運用にかかわる多様な作業の形態に対する柔軟な適応に併せて、これらの作業の効率化が図られる。
【図面の簡単な説明】  図１は、本発明にかかわるノード装置の原理ブロック図である。
図２は、本発明にかかわる保守運用支援装置である。
図３は、本発明の第一の実施形態の動作を説明する図である。
図４は、本発明の第一の実施形態の動作フローチャートである。
図５は、本発明の第二の実施形態の動作を説明する図である。
図６は、本発明の第二の実施形態の動作フローチャートである。
図７は、パス管理テーブルの構成を示す図である。
図８は、帯域管理テーブルの構成を示す図である。
図９は、新同期インタフェースが適用された網の構成例を示す図である。
【発明を実施するための最良の形態】  まず、本発明にかかわるノード装置の原理を説明する図である。
図１は、本発明にかかわるノード装置の原理ブロック図である。
図１に示すノード装置は、制御手段１１、１１Ａ、クロスコネクト手段１２、１２Ａおよび記憶手段１３、１３Ａから構成される。
本発明にかかわる第一のノード装置の原理は、下記の通りである。
制御手段１１は、二重化され、かつ自局に収容された通信装置１０−１〜１０−ｎと他局に収容された通信装置との間における個々のパスの形成に供され得る全てのリンクについて、これらのパスが形成されるべき現用のリンクを個別に選択する。クロスコネクト手段１２は、全てのリンクの内、制御手段１１によって選択された現用のリンクを介して通信装置１０−１〜１０−ｎと他局に収容された通信装置との間にパスを形成する。制御手段１１は、代替のパスが形成されるべき全てのパスの識別子を含む指令が外部から与えられたときに、二重化の方式に適合した系構成に基づいて、これらのパスが個別に形成されるべき予備のリンクを選択する。
このようなノード装置では、保守、運用その他の要求に応じて代替されるべき全てのパスについて一括して外部から指定された全てのパスは、これらのパスに代わるパスが形成されるべき代替のリンクが何ら指定されなくても、上述した二重化の方式に適合した系構成の下で定まる予備のリンクに形成される。
したがって、これらのリンクの次群が高く、あるいは上述した要求に応じて代替されるべきパスの数が多数ある場合であっても、これらのパスが形成されたリンクが効率的に、かつ確度高く解放される。
本発明にかかわる第二のノード装置の原理は、下記の通りである。
制御手段１１Ａは、自局に収容された通信装置１０−１〜１０−ｎと他局に収容された通信装置との間における個々のパスの形成に供され得る全てのリンクの内、これらのパスが形成されるべきリンクを個別に選択する。クロスコネクト手段１２Ａは、全てのリンクの内、制御手段１１Ａによって選択されたリンクを介して通信装置１０−１〜１０−ｎと他局に収容された通信装置との間にパスを形成する。制御手段１１Ａは、代替のパスが形成されるべき全てのパスと、これらの代替のパスが形成されるべき代替のリンクとの識別子を含む指令が外部から与えられたときに、これらの代替のリンクを優先的に選択する。
このようなノード装置では、保守、運用その他の要求に応じて代替されるべき全てのパスについて一括して外部から指定され、これらのパスに代わるパスが形成されるべき代替のリンクに代替のパスを形成することができる。
したがって、上述した代替のリンクの次群が高く、あるいはこれらの代替のパスで代替されるべきパスの数が多数あるばかりではなく、物理的なリンクが如何なる形態で冗長に構成された場合であっても、既述の代替のリンクが系構成の下で定まる限り、これらのパスが形成されたリンクが効率的に、かつ確度高く解放される。
本発明にかかわる第三のノード装置の原理は、下記の通りである。
指令に含まれる識別子で示され、かつ代替のリンクに形成されるべきパスは、特定の伝送区間に形成された全てのパスである。
このようなノード装置では、上述した特定の伝送区間に形成された全てのパスは、何れもこの特定の伝送区間を含まない代替のリンクに形成された他のパスで代替される。
したがって、所望の伝送区間の解放が円滑に、かつ確度高く図られる。
本発明にかかわる第四のノード装置の原理は、下記の通りである。
制御手段１１は、二重化され、かつ自局に収容された通信装置１０−１〜１０−ｎと他局に収容された通信装置との間における個々のパスの形成に供され得る全てのリンクについて、これらのパスが形成されるべきリンクを個別に選択する。クロスコネクト手段１２は、全てのリンクの内、制御手段１１によって選択されたリンクを介して通信装置１０−１〜１０−ｎと他局に収容された通信装置との間にパスを形成する。記憶手段１３は、並行して解放され得るリンクの集合毎に、その集合に属するリンクに形成された全てのパスの識別子が登録される。制御手段１１は、解放されるべき現用のリンクの識別子の集合を示す指令が外部から与えられたときに、二重化の方式に適合した系構成に基づいて、その集合に対応付けられて記憶手段１３に登録された識別子で示される全てのパスが個別に形成されるべき予備のリンクを選択する。
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列と、既述の二重化の方式に適合して系構成とに基づいて自立的に選択される。
したがって、個々のリンクの次群と、上述した保守、運用その他の要求に応じて代替されるべきパスの数と、物理的なリンクの冗長な構成の形態との如何にかかわらず、何れのリンクに複数あるいは多数の現用のリンクが形成された場合であっても、既述の予備のリンクが系構成の下で定まる限り、これらのパスが形成されたリンクが効率的に、かつ確度高く解放される。
本発明にかかわる第五のノード装置の原理は、下記の通りである。
制御手段１１Ａは、自局に収容された通信装置１０−１〜１０−ｎと他局に収容された通信装置との間における個々のパスの形成に供され得る全てのリンクの内、これらのパスが形成されるべきリンクを個別に選択する。クロスコネクト手段１２Ａは、全てのリンクの内、制御手段１１Ａによって選択されたリンクを介して通信装置１０−１〜１０−ｎと他局に収容された通信装置との間にパスを形成する。記憶手段１３Ａには、並行して解放され得るリンクの集合毎に、その集合に属するリンクに形成された全てのパスに対して、この集合に属さず、これらのパスに代わる個々の代替のパスが形成されるべき代替のリンクの識別子が登録される。制御手段１１Ａは、解放されるべきリンクの識別子の集合を示す指令が外部から与えられたときに、その集合に対応付けられて記憶手段１３Ａに登録された識別子で示される全てのパスと全てのリンクとを特定し、これらの全てのパスについて、代替のリンクを優先的に選択する。
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列に基づいて自立的に選択される。
したがって、個々のリンクの次群と、上述した保守、運用その他の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される。
本発明にかかわる第六のノード装置の原理は、下記の通りである。
指令に含まれる識別子で示され、かつ解放されるべきリンクは、特定の伝送区間に形成された全てのリンクである。
このようなノード装置では、上述した特定の伝送区間に形成された全てのパスは、何れもこの特定の伝送区間を含まない代替のリンクに形成された他のパスで代替される。
したがって、所望の伝送区間の解放が円滑に、かつ確度高く図られる。
本発明にかかわる第七のノード装置の原理は、下記の通りである。
クロスコネクト手段１２、１２Ａは、制御手段１１、１１Ａによって選択されたリンクに形成されたパスの更新を保留する。
このようなノード装置では、保守、運用その他の要求に応じた特定の伝送区間やリンクの解放を目的として代替のリンクに形成された全てのパスは、障害、トラヒックの分布の変動、輻輳その他の事象が発生した場合であっても、他のリンクに形成された他のパスで代替されることなく維持される。
したがって、上述した保守、運用その他の要求が優先され、その要求に応じて解放された特定の伝送区間やリンクが安定に確保される。
本発明にかかわる第八のノード装置の原理は、下記の通りである。
指令は、先行する伝送区間に形成されたリンクの余剰の伝送帯域を介して引き渡された情報である。
このようなノード装置では、上述した指令は、その指令の送信端や中継端との間に専用の通信リンクが敷設されていない場合であっても、確実に与えられる。
したがって、このような専用の通信リンクが敷設されなければならない場合に比べて、構成の簡略化と信頼性の向上とに併せて、コストの削減が図られる。
本発明にかかわる第九のノード装置の原理は、下記の通りである。
指令は、クロスコネクト手段１２、１２Ａに接続されたリンクの何れの先行する伝送区間とも異なる特定の通信リンクを介して引き渡された情報である。
このようなノード装置では、上述した指令は、その指令の送信端や中継端が既存のリンクが敷設された地域に存在しない場合であっても、上述した特定の通信リンクを介して確実に与えられる。
したがって、このような特定の通信リンクを介して保守や運用にかかわる監視および制御の業務が行われるべきサイトの地理的な制約が解消され、これらの保守や運用の多様な形態に対する柔軟な適応が可能となる。
本発明にかかわる第十のノード装置の原理は、下記の通りである。
指令には、その指令の宛先に該当するノード装置の識別子が含まれる。制御手段１１、１１Ａは、クロスコネクト手段１２、１２Ａを介して後続する伝送区間に、その伝送区間の余剰の伝送帯域を介して宛先が自局に該当しない指令を中継する。
このようなノード装置では、上述した指令は、クロスコネクトの対象となるリンクの余剰の伝送帯域が活用されることによって、この指令の宛先である他のノードに引き渡される。
したがって、構成の簡略化と、信頼性の向上とに併せて、コストの削減が図られる。
図２は、本発明にかかわる保守運用支援装置の原理ブロック図である。
図に示す保守運用支援装置は、記憶手段２１、２１Ａ、マンマシンインタフェース手段２２および指令配信手段２３、２３Ａから構成される。
本発明にかかわる第一の保守運用支援装置の原理は、下記の通りである。
記憶手段２１には、リンク毎に形成された全てのパスと、網に配置されたノードの内、これらのパスの両端に配置されたノードとが予め登録される。マンマシンインタフェース手段２２は、解放されるべきリンクの指定にかかわるマンマシンインタフェースをとる。指令配信手段２３は、マンマシンインタフェース手段２２を介して指定されたリンクに対応して記憶手段２１に登録された個々のノード宛に、そのノードと共にこの記憶手段２１に登録されたパスを含む指令を一括して配信する。
このような保守運用支援装置では、マンマシンインタフェース手段２２を介して指定されたリンクに形成された全てのパスの両端に配置された個々のノードに対して、該当する全てのパスに代わる代替のパスを一括して通知することができる。
したがって、上述した指令がパス毎にそのパスの両端に配置された個々のノード宛に送出され、これらの指令毎に保守や運用に携わる要員の手作業が行われなければならなかった従来例に比べて、所望の伝送区間やリンクの解放にかかわる作業の省力化および効率化が図られる。
本発明にかかわる第二の保守運用支援装置の原理は、下記の通りである。
記憶手段２１Ａには、リンク毎に形成された全てのパスと、これらのパスに代わる代替のパスが形成されるべき代替のリンクと、網に配置されたノードの内、これらの代替のパスの両端に配置されたノードとが予め登録される。マンマシンインタフェース手段２２は、解放されるべきリンクの指定にかかわるマンマシンインタフェースをとる。指令配信手段２３Ａは、マンマシンインタフェース手段２２を介して指定されたリンクに対応して記憶手段２１Ａに登録された個々のノード宛に、そのノードと共にこの記憶手段２１Ａに登録されたパスと代替のリンクとを含む指令を一括して配信する。
このような保守運用支援装置では、マンマシンインタフェース手段２２を介して指定されたリンクに形成された全てのパスを終端する個々のノードに対して、該当する全てのパスと、これらのパスに代わる代替のパスが形成されるべき代替のリンクとを一括して通知することができる。
したがって、上述した指令がパス毎にそのパスの両端に配置された個々のノード宛に送出され、これらの指令毎に保守や運用に携わる要員の手作業が行われなければならなかった従来例に比べて、所望の伝送区間やリンクの解放にかかわる作業の省力化および効率化が図られる。
本発明にかかわる第三の保守運用支援装置の原理は、下記の通りである。
リンクの全てが二重化されたリンクであるので、これらのリンクの系構成が個々のリンクの二重化の形態に基づいて個々のノードによって自立的に維持される限り、何れのパスの両端に配置されたノードに対しても、該当するパスに代わる代替のパスが形成されるべきリンクを通知することが不要となる。
したがって、解放されるべき伝送区間やリンクの組み合わせおよび数の如何にかかわらず、既述の指令の伝送に伴うトラヒックの増加が緩和される。
本発明にかかわる第四の保守運用支援装置の原理は、下記の通りである。
記憶手段２１、２１Ａには、網の構成に適合した集合毎に、その集合に属するリンクが予め登録される。マンマシンインタフェース手段２２は、外部から指定された集合に対応して記憶手段２４に登録された全てのリンクを解放されるべきリンクとして識別する。
このような保守運用支援装置では、解放されるべきリンクや伝送区間の組み合わせは、既知の集合として予め定義される限り、外部から単一の集合として指定される。
したがって、上述したリンクや伝送区間の指定にかかわる操作が簡略化され、かつ保守や運用にかかわる作業の効率化が図られる。
本発明にかかわる第五の保守運用支援装置の原理は、下記の通りである。
集合は、網の保守または運用にかかわる作業の対象となる伝送区間とリンクとの双方もしくは何れか一方の組み合わせである。
このような保守運用支援装置では、上述した作業の対象となる伝送区間やリンクの組み合わせは、既知の集合として予め定義される限り、保守や運用にかかわる作業が繁雑化することなく関連するノードに確度高く通知される。
したがって、保守や運用にかかわる多様な作業の形態に対する柔軟な適応に併せて、これらの作業の効率化が図られる。
以下、図面に基づいて本発明の実施形態について詳細に説明する。
［実施形態１］
図３ａおよび図３ｂは、本発明の第一の実施形態の動作を説明する図である。
図４は、本発明の第一の実施形態の動作フローチャートである。
以下、図３ａ、図３ｂ、図４および図９を参照して本発明の第一の実施形態の動作を説明する。
本実施形態の特徴は、図９に示す監視制御装置５１と、ノード装置４２−Ｃに備えられた監視制御部４８−Ｃとによって行われる下記の処理の手順にある。
保守や運用の過程において、例えば、伝送区間ａｂがノードの増設や試験の対象として解放されるべき場合には、監視制御装置５１は、下記の処理を行う。
・  操作者によって伝送区間ａｂが「解放されるべき伝送区間」として指定されると、その伝送区間ａｂを介して形成されている全ての「特定パス」を特定する（図４（１））。
・  上述した特定のパスを個別に代替し得る予備のパスを特定し（図４（２））、これらの特定のパスにかかわる系構成情報を更新する（図４（３））。
・  これらの特定のパスおよび予備のパスの識別子の対を該当する特定（予備）のパスの両端の何れかに配置されたノード装置毎に収集する（図４（４））。
・  ＬＡＮ５２を介して対応するノード装置宛に、これらの識別子の列を含む「一括切り替え指令」を順次を送出する（図４（５））。
一方、このような「一括切り替え指令」を受信したノード装置４２−Ｃでは、監視制御部４８−Ｃは、このような「一括切り替え指令」に含まれる個々の識別子の対で示される特定のパスを対応する予備のパスで代替することをパススイッチ部４５−Ｃに指令する。
すなわち、伝送区間ａｂに並行して形成された全ての特定のパスと、これらの特定のパスを代替し得る代替のパスとの識別子の対は、個々の特定のパス（代替のパス）の両端に配置されたノード装置毎に区分され、かつ上述した「一括切り替え指令」として対応するノード装置宛に一括して通知されると共に、各ノード装置では、この「一括切り替え指令」に含まれる個々の識別子の対で示される特定のパスを予備のパスで代替する処理が一括して行われる。
このように本実施形態によれば、伝送区間ａｂに並行して形成された全ての特定のパス（図３ａ（１）、（２））は、ハードウエアの構成が基本的に変更されることなく、かつ煩雑な手作業が介在することなく、自動的に適切な代替のパス（図３ｂ（１）、（２））で代替される。
したがって、パスが形成されるべき単位となる次群と、代替のパスで代替されるべき特定のパスの数との如何にかかわらず、従来例に比べて大幅に効率的に、かつ確度高く所望の伝送区間が解放される。
［実施形態２］
図５は、本発明の第二の実施形態の動作を説明する図である。
図６は、本発明の第二の実施形態の動作フローチャートである。
以下、図３ａ、図３ｂ、図５、図６および図９を参照して本発明の第二の実施形態の動作を説明する。
監視制御装置５１は、図７に示すように、二重化された網４１の右回りのリンクと左回りのリンクとに個別に対応した第一の面と第二の面とに、下記のフィールドの集合として構成されたレコードの列が予め格納されたパス管理テーブル５１ｔを有する。
・  該当するリンクに並行して形成されている全てのパスに個別に付与され、かつユニークであるパス識別子が格納された「パス識別子」フィールド
・  個々のパス識別子で示されるパスの始点と終点とにそれぞれ該当するノード装置を示すノード識別子（ここでは、簡単のため、既述の符号「４２」に付加された添え文字「ａ」〜「ｄ」の何れかとして表記されると仮定する。）が左端と右端とにそれぞれ配置され、これらのノード識別子の間にこのパスの経路の順に介在する個々のノード装置を示すノード識別子が配置されてなる経路識別子が格納された「経路識別子」フィールド
また、ノード装置４２−Ｃに備えられた監視制御部４８−Ｃは、図８に示すように、二重化された網４１の右回りのリンクと左回りのリンクとに個別に対応した面に、下記のフィールドの集合として構成されたレコードの列が予め格納された帯域管理テーブル４８ｔ−Ｃを有する。
・  上述した右回りのリンクと左回りのリンクとの内、対応するリンクの直近の伝送区間に付与され、かつユニークである伝送区間識別子（ここでは、簡単のため、該当する伝送区間の両端に配置された２つのノード装置の識別子がこのリンクの伝送方向の順に配置されることによって表記されると仮定する。）が格納された「伝送区間識別子」フィールド
・  ノード装置４２−Ｃが始点、終点、中継点の何れかに該当する全てのパスに個別に付与され、かつユニークであるパス識別子が格納された「パス識別子」フィールド
・  上述した始点、終点、中継点の内、対応するパスに対して上述したノード装置４２−Ｃが介在する形態（「中継」と「終端」との何れか一方）を示すパス種別が格納された「パス種別識別子」フィールド
・  該当するパスに固有の属性が格納された「属性」フィールド
ところで、保守や運用の過程において、例えば、伝送区間ａｂがノードの増設や試験の対象として解放されるべき場合には、監視制御装置５１は、下記の処理を行う。
・  操作者によって伝送区間ａｂが「解放されるべき伝送区間」として指定されると、パス管理テーブル５１ｔの面の内、「経路識別子」フィールドの値（ノード識別子の列）に文字列「ａｂ」が含まれる第一の面のレコードと、「経路識別子」フィールドの値に文字列「ｂａ」が含まれる第二の面のレコードとの有無を判別する（図６（１））。
・  このようにして第一の面に上記のレコードがあることが判別された場合には、その第一の面の全てのレコードの「経路識別子」フィールドの内、上述した文字列「ａｂ」が含まれる全ての「経路識別子」フィールドの値の先頭と末尾との何れかに配置された文字（「ａ」〜「ｄ」の何れか）に個別に対応するノード装置毎に、この第一の面に対応したリンクを示すユニークなリンク識別子（ここでは、簡単のため、既述の「右回りのリンク」を意味する文字「Ｗ」として表記されると仮定する。）を収集する（図６（２））。
・  同様に第二の面に上記のレコードがあることが判別された場合には、その第二の面の全てのレコードの「経路識別子」フィールドの内、上述した文字列「ｂａ」が含まれる全ての「経路識別子」フィールドの値の先頭と末尾との何れかに配置された文字（「ａ」〜「ｄ」の何れか）に個別に対応するノード装置毎に、この第二の面に対応したリンクを示すユニークなリンク識別子（ここでは、簡単のため、既述の「左回りのリンク」を意味する文字「Ｅ」として表記されると仮定する。）を収集する（図６（３））。
・  このように収集されたリンク識別子をノード装置毎にマージし（図６（４））、その結果として得られたリンク識別子（の列）を含む「個別切り替え指令」を該当するノード装置宛に送出する（図６（５））。
一方、ノード装置４２−ａ（４２−ｂ）では、監視制御部４８−ａ（４８−ｂ）は、上述した「個別切り替え指令」を受信すると、帯域管理テーブル４８ｔ−ａ（４８ｔ−ｂ）の面の内、その「個別切り替え指令」に含まれるリンク識別子に対応する個々の面を参照することによって下記の処理を行う。
・  帯域管理テーブル４８ｔ−ａ（４８ｔ−ｂ）の対応する面に含まれるレコードの内、「パス種別」フィールドの値が「終端」（既述の「始点」または「終点」）を意味し、かつ「属性」フィールドの値として後述する予備のパスによる代替の規制（例えば、「ロックアウト属性」等）が何ら定義されていない全てのレコードの「パス識別子」フィールドの値の列として、特定のパスを取得する。
・  これらの特定のパスの全てについて、対応する予備のパスで代替することをパススイッチ部４５−ａ（４５−ｂ）に順次指令する。
・  このような予備のパスによる代替が完了した特定のパスについては、図３ａ、図３ｂに整合した矢印で図５に示されるように、帯域管理テーブル４８ｔ−ａ（４８ｔ−ｂ）の該当する面およびレコードの整合を図り、かつ予め決められたアルゴリズムもしくは上述した「個別切り替え指令」に付加された所定の制御情報に基づいて、対応する「属性」フィールドに新たな属性（例えば、上述した「ロックアウト属性」）を設定し、あるいはその「属性」フィールドに先行して設定されていた属性を更新する。
・  上記の一連の処理の結果に整合し、かつ既述の系構成情報の更新に必要な情報を生成し、ＬＡＮ５２を介して監視制御装置５１宛に、その情報を送出する。
すなわち、上述した「個別切り替え指令」には、予備のパスで代替されるべき何らかの特定のパスが形成されているリンクのみのリンク識別子が重複することなく含まれ、これらの「個別切り替え指令」は、解放されるべき伝送区間ａｂを介して形成されている個々のパスの両端に配置されたノード装置のみに対して配信される。
さらに、このような「個別切り替え指令」を受信したノード装置は、個別に有する帯域管理テーブル４８ｔ−Ｃを参照することによって、自局が始点または終点に該当するパスのみを予備のパスで自立的に代替する。
したがって、本実施形態によれば、何れのリンクに複数の（あるいは多数の）パスが並行して形成され得る場合であっても、所望の伝送区間の解放が効率的に、かつ確度高く達成される。
なお、上述した各実施形態では、網４１は、新同期インタフェース方式（ＳＤＨ）、あるいはＳＯＮＥＴ（Ｓｙｎｃｈｒｏｎｏｕｓ  Ｏｐｔｉｃａｌ  Ｎｅｔｗｏｒｋ）に準拠したＵＰＳＲとして環状に形成され、かつ伝送方向が反対である２つの伝送路からなる二重化されたリンクとして構成されている。
しかし、本発明は、このような網４１に限定されず、系構成に基づいて代替のパスやリンクが適切に形成され、かつ同期転送モード（ＳＴＭ：Ｓｙｎｃｈｒｏｎｏｕｓ  Ｔｒａｎｓｆｅｒ  Ｍｏｄｅ）が適用される限り、如何なるディジタルハイアラキ、トポロジおよび冗長構成の下で形成された網にも同様に適用可能である。
また、上述した各実施形態では、解放されるべき伝送区間の何れを介して形成された現用のパスも、監視制御部４８−Ｃの配下で作動するパススイッチ４５−Ｃによって、予備のパスで代替されている。
しかし、本発明はこのような構成に限定されず、例えば、ノード装置４２−ａ〜４２−ｄの間に形成された伝送区間の全てまたは一部に３本以上の物理的なリンク（伝送路）が敷設された場合には、監視制御部４８−Ｃの配下で作動するクロスコネクト部４４−Ｃ、あるいはその監視制御部４８−Ｃの主導の下で連係するクロスコネクト部４４−Ｃおよびパススイッチ４５−Ｃによって、同様に現用のパスが予備のパスで代替されてもよい。
なお、このような３本以上の物理的なリンクに基づいて網４１が冗長に構成される場合には、例えば、その網４１の系構成にかかわる処理が監視制御装置５１によって主導的に行われ、かつ図７に点線で示すように、この系構成の下で選定された代替リンクを示す代替リンク識別子がパス管理テーブル５１ｔに適宜格納されると共に、この代替リンク識別子が既述の「個別切り替え指令」に付加されて個々のノード装置に引き渡されることによって、上述したように、監視制御部４８−Ｃの配下で作動するクロスコネクト部４４−Ｃ、あるいはその監視制御部４８−Ｃの主導の下で連係するクロスコネクト部４４−Ｃおよびパススイッチ４５−Ｃによって、個々の現用のパスが予備のパスで代替されてもよい。
さらに、上述した各実施形態では、網４１は、既述のＵＰＳＲとして形成され、かつ常用冗長方式に基づいて冗長に構成されている。
しかし、このような網４１を構成するリンクの全てまたは一部は、ＢＬＳＲ（Ｂｉｄｉｒｅｃｔｉｏｎａｌ  Ｌｉｎｅ  Ｓｗｉｔｃｈｅｄ  Ｒｉｎｇ）として構成されてもよい。
また、上述した各実施形態では、ノード装置４２−ａ〜４２−ｄと監視制御装置５１との間における既述の「一括切り替え指令」、「個別切り替え指令」その他の制御情報は、ＬＡＮ５２を介して相互に直接引き渡されている。
しかし、本発明はこのような構成に限定されず、例えば、ノード装置４２−ａ〜４２−ｄの内、何れかの単一のノード装置（以下、「特定のノード装置」という。）のみがＬＡＮ５２に接続されている場合には、その特定のノード装置以外のノード装置と監視制御装置５１との間における上述した制御情報の引き渡しは、ノード装置４２−ａ〜４２−ｄの間に形成された伝送区間の余剰の伝送帯域（既定のフレーム構成に適合したオーバヘッドの所定のフィールド、如何なるトラヒックにも割り付けられていない空のタイムスロットやトリビュータリユニットその他の如何なるものであってもよい。）を介してこれらのノード装置４２−ａ〜４２−ｄが行う中継処理の下で達成されてもよい。
さらに、上述した各実施形態では、所望の伝送区間の全面的な解放を目的としてその伝送区間を介して形成された全ての現用のパスを予備のパスで代替する処理を効率的に、かつ確度高く達成するために、本発明が適用されている。
しかし、本発明は、このような伝送区間の全面的な解放に限定されず、例えば、保守や運用の過程において、所望の伝送区間（単一の伝送区間であっても複数の伝送区間であってもよい。）に敷設された特定のリンク（単一のリンクであっても複数のリンクであってもよい。）の解放が図られるべき場合にも、同様に適用可能である。
また、上述した各実施形態では、監視制御装置５１は、ノード装置４２−ａ〜４２−ｄにＬＡＮ５２を介して接続された別体の装置として構成されている。
しかし、本発明はこのような構成に限定されず、監視制御装置５１は、これらのノード装置４２−ａ〜４２−ｄの何れかと一体化され、あるいは保守や運用の作業に適合した形態でこれらのノード装置４２−ａ〜４２−ｄに負荷分散や機能分散が図られることによって構成されてもよい。
さらに、本発明は、上述した実施形態に限定されるものではなく、本発明の範囲において、多様な形態による実施形態が可能であり、かつ構成装置の一部もしくは全てに如何なる改良が施されてもよい。
【産業上の利用の可能性】
上述したように  本発明にかかわる第一および第二のノード装置では、既述の要求に応じて他のパスで代替されるべきパスが形成されたリンクが効率的に、かつ確度高く解放される。
また、本発明にかかわる第三および第六のノード装置では、所望の伝送区間の解放が円滑に、かつ確度高く図られる。
さらに、本発明にかかわる第四のノード装置では、何れのリンクに複数あるいは多数の現用のリンクが形成された場合であっても、既述の予備のリンクが系構成の下で定まる限り、これらのパスが形成されたリンクが効率的に、かつ確度高く解放される。
また、本発明にかかわる第五のノード装置では、個々のリンクの次群と、既述の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される。
さらに、本発明にかかわる第七のノード装置では、保守、運用その他の要求が優先され、その要求に応じて解放された特定の伝送区間やリンクが安定に確保される。
また、本発明にかかわる第八のノード装置では、既述の指令の送信端や中継端との間に専用の通信リンクが敷設されなければならない場合に比べて、構成の簡略化と信頼性の向上とに併せて、コストの削減が図られる。
さらに、本発明にかかわる第九のノード装置では、特定の通信リンクを介して保守や運用にかかわる監視および制御の業務が行われるべきサイトの地理的な制約が解消され、これらの保守や運用の多様な形態に対する柔軟な適応が可能となる。
また、本発明にかかわる第十のノード装置では、構成の簡略化と、信頼性の向上とに併せて、コストの削減が図られる。
さらに、本発明にかかわる第一および第二の保守運用支援装置では、従来例に比べて、所望の伝送区間やリンクの解放にかかわる作業の省力化および効率化が図られる。
また、本発明にかかわる第三の保守運用支援装置では、解放されるべき伝送区間やリンクの組み合わせおよび数の如何にかかわらず、既述の指令の伝送に伴うトラヒックの増加が緩和される。
さらに、本発明にかかわる第四の保守運用支援装置では、解放されるべきリンクや伝送区間の指定にかかわる操作が簡略化され、かつ保守や運用にかかわる作業の効率化が図られる。
また、本発明にかかわる第五の保守運用支援装置では、保守や運用にかかわる多様な作業の形態に対する柔軟な適応に併せて、これらの作業の効率化が図られる。
したがって、これらの発明が適用された伝送系では、総合的な信頼性が低下することなく、伝送品質およびサービス品質が高く維持される。
【図１】
2004040853.tif 000003
【図２】
2004040853.tif 000004
2004040853.tif 000005
【図４】
2004040853.tif 000006
【図５】
2004040853.tif 000007
【図６】
2004040853.tif 000008
【図７】
2004040853.tif 000009
【図８】
2004040853.tif 000010
【図９】
2004040853.tif 000011
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスの識別子を含む指令が外部から与えられたときに、前記二重化の方式に適合した系構成に基づいて、これらのパスが個別に形成されるべき予備のリンクを選択する
ことを特徴とするノード装置。
【請求項２】
自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスと、これらの代替のパスが形成されるべき代替のリンクとの識別子を含む指令が外部から与えられたときに、これらの代替のリンクを優先的に選択する
ことを特徴とするノード装置。
【請求項３】
二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と
並行して解放され得るリンクの集合毎に、その集合に属するリンクに形成された全てのパスの識別子が登録された記憶手段とを備え、
前記制御手段は、
解放されるべきリンクの識別子の集合を示す指令が外部から与えられたときに、前記二重化の方式に適合した系構成に基づいて、その集合に対応付けられて前記記憶手段に登録された識別子で示される全てのパスが個別に形成されるべき予備のリンクを選択する
ことを特徴とするノード装置。
【請求項４】
自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と、
並行して解放され得るリンクの集合毎に、その集合に属するリンクに形成された全てのパスに対して、この集合に属さず、これらのパスに代わる個々の代替のパスが形成されるべき代替のリンクの識別子が登録された記憶手段とを備え、
前記制御手段は、
解放されるべきリンクの識別子の集合を示す指令が外部から与えられたときに、その集合に対応付けられて前記記憶手段に登録された識別子で示される全てのパスと全てのリンクとを特定し、これらの全てのパスについて、代替のリンクを優先的に選択する
ことを特徴とするノード装置。
【請求項５】
リンク毎に形成され全てのパスと、網に配置されたノードの内、これらのパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段２１に登録された個々のノード宛に、そのノードと共にこの記憶手段に登録されたパスを含む指令を一括して配信する指令配信手段２３と
を備えたことを特徴とする保守運用支援装置。
【請求項６】
リンク毎に形成された全てのパスと、これらのパスに代わる代替のパスが形成されるべき代替のリンクと、網に配置されたノードの内、これらの代替のパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段に登録された個々のノード宛に、そのノードと共にこの記憶手段に登録されたパスと代替のリンクとを含む指令を一括して配信する指令配信手段と
を備えたことを特徴とする保守運用支援装置。
【手続補正２】
【補正対象書類名】明細書
【補正対象項目名】全文
【補正方法】変更
【補正の内容】
【発明の詳細な説明】
【技術分野】
【０００１】
本発明は、同期伝送モードが適用された伝送系において、伝送区間毎に配置され、かつクロスコネクトを行うノード装置と、これらのノード装置と連係することによってそのクロスコネクトに基づくリンクおよびパスを維持する保守運用支援装置とに関する。
【背景技術】
【０００２】
新同期インタフェース（ＳＤＨ: Synchronous Digital Hierarchy)は、低次群から高次群に亘る多様な信号の同期化と、高次群における伝送情報の柔軟な編集とに併せて、伝送路の多様な保守や運用にかかわる監視、試験および制御が可能であるために、Ｂ−ＩＳＤＮその他の幹線系だけではなく、私設網にも広く適用されている。
図９は、新同期インタフェースが適用された網の構成例を示す図である。
【０００３】
図において、ＵＰＳＲ(Unidirectional Path Switched Ring)として環状に形成され、かつ常用冗長方式に基づいて二重化された網４１にはノード装置４２-a 〜４２-dが配置され、これらのノード装置４２-a 〜４２-dは監視制御装置５１にＬＡＮ５２を介して接続される。
これらのノード装置４２-a〜４２-dの内、ノード装置４２-aは、下記の要素から構成される。
・  網４１の直近の２つの伝送区間にそれぞれ接続された高速インタフェース部（ＨＩＦ）４３Ｗ-a、４３Ｅ-a
・  これらの高速インタフェース部４３Ｗ-a、４３Ｅ-aの段間に配置されたクロスコネクト（ＸＣ）部４４-a
・  上述した高速インタフェース部４３Ｗ-a、４３Ｅ-aに個別に対応したクロスコネクト部４４-aの２つの低速出力に縦続接続されたパススイッチ（ＰＳＷ）４５-a
・  そのパススイッチ４５-aの出力およびクロスコネクト部４４-aの低速入力と、ノード装置４２-aに収容された個々の通信装置（図示されない。）とのインタフェースをとる低速インタフェース部（ＬＩＦ）４６-a
・  クロスコネクト部４４-aの一方の制御端子に接続された保持メモリ（ＨＭ）４７-a
・  クロスコネクト部４４-aの他方の制御端子とパススイッチ４５-aの制御端子とに接続され、かつＬＡＮ５２に接続された監視制御部４８-a
なお、ノード装置４２-b〜４２-dの構成については、ノード装置４２-aの構成と基本的に同じであるので、以下では、機能および構成が同じ要素、添え文字「ａ」に代わる添え文字「ｂ」〜「ｄ」が付加された同じ符号を付与し、ここでは、その詳細な説明を省略する。
【０００４】
このような構成の網では、ノード装置４２-a 〜４２-dの各部が下記の通りに連係することによって、所定の次群（例えば、伝送速度が５２Ｍｂｐｓであるパス）の単位にクロスコネクトが行われ、かつ網４１を介してこれらのノード装置４２-a 〜４２-dに収容された通信装置の間に所定のパスが形成される。
なお、以下では、ノード装置４２-a 〜４２-dに共通の事項については、添え文字「ａ」〜「ｄ」の何れにも該当し得ることを意味する添え文字「Ｃ」を適用して記載する。
【０００５】
また、以下では、ノード装置４２-a 〜４２-dの間にそれぞれ形成された何れの伝送区間についても、該当する伝送区間の両端に配置された２つのノードの符号に個別に付加された添え文字（例えば、ノード装置４２-aからノード装置４２-bに至る伝送区間については、「ａｂ」）を付して示す。
保持メモリ４７-Cには、網４１の先行する伝送区間と後続する伝送区間との間と、これらの伝送区間の何れかとノード装置４２-Cに収容された通信装置との間とにそれぞれ形成されたパスを示す制御情報が局情報（監視制御部４８-Cによって更新された局情報を含む。）として格納される。
【０００６】
クロスコネクト部４４-Cは、このような局情報で示される全てのパスを網４１の先行する伝送区間と後続する伝送区間との間と、これらの伝送区間の何れかとノード装置４２-Cに収容された通信装置との間とに形成する。
さらに、パススイッチ４５-Cは、クロスコネクト部４４-Cの低速出力の内、上記の通信装置に個別に接続されるべきパスに対応した低速出力（隣接する２つの伝送区間の入方路の何れか一方に対応する。）を監視制御部４８-Cの主導の下で選択し、その低速出力を低速インタフェース部４６-Cに接続する。
【０００７】
また、保守や運用の過程では、例えば、ノードの増設や試験の対象として伝送区間ａｂが解放されるべき場合には、各部は下記の通りに連係する。
・  監視制御装置５１は、伝送区間ａｂ、ｂｃ、ｃｄ、ｄａ、ａｄ、ｄｃ、ｃｂ、ｂａの何れかを介して形成されている現用のパスと、各伝送区間の余剰の伝送容量の範囲で予め確保され、これらの現用のパスに代わり得る予備のパスとを一元的に管理する。
・  監視制御装置５１は、操作者によって伝送区間ａｂが「解放されるべき伝送区間」として指定されると、その伝送区間ａｂを介して形成されている全てのパス（以下、個別に「特定パス」という。）を特定する。
・  監視制御装置５１は、上述した管理の下で、これらの特定のパスを個別に代替し得る予備のパスを特定し、これらの予備のパスの何れについても、対応する特定パスの識別子と、この特定パスの両端に配置されたノード装置の識別子とを所定のマンマシンインタフェースに基づいて操作者に通知する。
・  さらに、監視制御装置５１は、これらの特定のパスの何れかが操作者によって指定される度に、該当する特定のパスにかかわる系構成情報（上述した管理に供される。）を更新し、かつＬＡＮ５２を介して対応する予備のパスの両端に配置された２つのノード装置宛に、これらの特定のパスおよび予備のパスの識別子を含む「切り替え指令」を送出する。
・  ノード装置４２-a 〜４２-dの内、上述した２つのノード装置に個別に備えられた監視制御部４８-Cは、このような「切り替え指令」に含まれる識別子で示される特定のパスを予備のパスで代替することをパススイッチ部４５-Cに指令する。
【発明の開示】
【発明が解決しようとする課題】
【０００８】
ところで、このような従来例では、上述した「切り替え指令」は、操作者によって特定のパスが指定されない限り、何れのノード装置宛にも送出されず、その操作者によって指定された個々の特定のパス毎に、その特定のパスの両端に配置された２つのノード装置宛に送出されていた。
したがって、伝送区間ａｂがノードの増設や試験の対象として解放されるためには、多くの回数（最大の回数は、例えば、ビットレートが１０ギガバイト／秒である次群において５２メガビット／秒のビットレート毎にクロスコネクトが行われるべき次群の数に等しい「１９２」となる。）に亘って手作業が行われなければならず、かつ全ての特定のパスが漏れなく正確に指定されるためには、操作者に対する「実体的な系構成を示す適切な情報」の提供と誤操作の回避とが確度高く達成されるマンマシンインタフェースが図られなければならなかった。
【０００９】
しかし、クロスコネクトが行われるべき伝送区間の次群は、特に、幹線系の網では、データ系の伝送サービスの需要の増大に応じてさらに高い次群にシフトする可能性が高いために、所望の伝送区間の解放にかかわる工数の増大とその解放の確度の低下とが大幅に軽減される技術が強く要望されていた。
本発明は、基本的な構成が大幅に変更されることなく、所望の伝送区間やリンクの解放が効率的に達成されるノード装置および保守運用支援装置を提供することを目的とする。
【００１０】
また、本発明の目的は、総合的な信頼性が低下することなく、伝送系の伝送品質およびサービス品質が高く維持される点にある。
さらに、本発明の目的は、要求に応じて他のパスで代替されるべきパスが形成されたリンクが効率的に、かつ確度高く解放される点にある。
また、本発明の目的は、所望の伝送区間の解放が円滑に、かつ確度高く図られる点にある。
【００１１】
さらに、本発明の目的は、何れのリンクに複数あるいは多数の現用のリンクが形成された場合であっても、既述の予備のリンクが系構成の下で定まる限り、これらのパスが形成されたリンクが効率的に、かつ確度高く解放される点にある。
また、本発明の目的は、個々のリンクの次群と、既述の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される点にある。
【００１２】
さらに、本発明の目的は、保守、運用その他の要求が優先され、その要求に応じて解放された特定の伝送区間やリンクが安定に確保される点にある。
また、本発明の目的は、指令の送信端や中継端との間に専用の通信リンクが敷設されなければならない場合に比べて、構成の簡略化と信頼性の向上とに併せて、コストの削減が図られる点にある。
【００１３】
さらに、本発明の目的は、特定の通信リンクを介して保守や運用にかかわる監視および制御の業務が行われるべきサイトの地理的な制約が解消され、これらの保守や運用の多様な形態に対する柔軟な適応が可能となる点にある。
また、本発明の目的は、構成の簡略化と、信頼性の向上とに併せて、コストの削減が図られる点にある。
【００１４】
さらに、本発明の目的は、従来例に比べて、所望の伝送区間やリンクの解放にかかわる作業の省力化および効率化が図られる点にある。
また、本発明の目的は、解放されるべき伝送区間やリンクの組み合わせおよび数の如何にかかわらず、既述の指令の伝送に伴うトラヒックの増加が緩和される点にある。
さらに、本発明の目的は、解放されるべきリンクや伝送区間の指定にかかわる操作が簡略化され、かつ保守や運用にかかわる作業の効率化が図られる点にある。
【００１５】
また、本発明の目的は、保守や運用にかかわる多様な作業の形態に対する柔軟な適応に併せて、これらの作業の効率化が図られる点にある。
上述した目的は、代替のパスが形成されるべき全てのパスの識別子を含む指令が外部から与えられたときに、これらのパスの二重化の方式に適合した系構成に基づいて、これらの代替のパスが個別に形成されるべき予備のリンクを選択する点に特徴があるノード装置によって達成される。
【００１６】
このようなノード装置では、外部から指定された全てのパスは、これらのパスに代わるパスが形成されるべき代替のリンクが何ら指定されなくても、上述した二重化の方式に適合した系構成の下で定まる予備のリンクに形成される。
したがって、これらのリンクの次群が高く、あるいは上述した要求に応じて代替されるべきパスの数が多数ある場合であっても、これらのパスが形成されたリンクが効率的に、かつ確度高く解放される。
【００１７】
上述した目的は、代替のパスが形成されるべき全てのパスと、これらの代替のパスが形成されるべき代替のリンクとの識別子を含む指令が外部から与えられたときに、これらの代替のリンクを優先的に選択する点に特徴があるノード装置によって達成される。
このようなノード装置では、保守、運用その他の要求に応じて代替されるべき全てのパスについて一括して外部から指定され、これらのパスに代わるパスが形成されるべき代替のリンクに代替のパスを形成することができる。
【００１８】
したがって、物理的なリンクが如何なる形態で冗長に構成された場合であっても、既述の代替のリンクが系構成の下で定まる限り、これらのパスが形成されたリンクが効率的に、かつ確度高く解放される。
上述した目的は、指令に含まれる識別子で示され、かつ代替のリンクに形成されるべきパスが特定の伝送区間に形成された全てのパスである点に特徴があるノード装置によって達成される。
【００１９】
このようなノード装置では、上述した特定の伝送区間に形成された全てのパスは、何れもこの特定の伝送区間を含まない代替のリンクに形成された他のパスで代替される。
したがって、所望の伝送区間の解放が円滑に、かつ確度高く図られる。
上述した目的は、解放されるべきリンクの識別子の集合を示す指令が外部から与えられたときに、これらのリンクの二重化の方式に適合した系構成に基づいて、その集合に対応付けられて登録された識別子で示される全てのパスが個別に形成されるべき予備のリンクを選択する点に特徴があるノード装置によって達成される。
【００２０】
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列と、既述の二重化の方式に適合した系構成とに基づいて自立的に選択される。
【００２１】
したがって、何れのリンクに複数あるいは多数の現用のリンクが形成された場合であっても、既述の予備のリンクが系構成の下で定まる限り、これらのパスが形成されたリンクが効率的に、かつ確度高く解放される。
上述した目的は、解放されるべきリンクの識別子の集合を示す指令が外部から与えられたときに、その集合に対応付けられて登録された識別子で示される全てのパスと全てのリンクとを特定し、これらの全てのパスについて、代替のリンクを優先的に選択する点に特徴があるノード装置によって達成される。
【００２２】
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列に基づいて自立的に選択される。
したがって、何れのリンクに複数あるいは多数の現用のリンクが形成されている場合であっても、これらのパスが形成されたリンクが効率的に、かつ確度高く解放される。
【００２３】
上述した目的は、指令に含まれる識別子で示され、かつ解放されるべきリンクが「特定の伝送区間に形成された全てのリンク」である点に特徴があるノード装置によって達成される。
このようなノード装置では、上述した特定の伝送区間に形成された全てのパスは、何れもこの特定の伝送区間を含まない代替のリンクに形成された他のパスで代替される。
【００２４】
したがって、所望の伝送区間の解放が円滑に、かつ確度高く図られる。
上述した目的は、既述の選択されたリンクに形成されたパスの更新を保留する点に特徴があるノード装置によって達成される。
このようなノード装置では、保守、運用その他の要求に応じた特定の伝送区間やリンクの解放を目的として代替のリンクに形成された全てのパスは、他のリンクに形成された他のパスでさらに代替されることなく維持される。
【００２５】
したがって、上述した保守、運用その他の要求が優先され、その要求に応じて解放された特定の伝送区間やリンクが安定に確保される。
上述した目的は、指令が「先行する伝送区間に形成されたリンクの余剰の伝送帯域」を介して引き渡された情報として与えられる点に特徴があるノード装置によって達成される。
【００２６】
このようなノード装置では、上述した指令は、その指令の送信端や中継端との間に専用の通信リンクが敷設されていない場合であっても、確実に与えられる。
したがって、このような専用の通信リンクが敷設されなければならない場合に比べて、構成の簡略化と信頼性の向上とに併せて、コストの削減が図られる。
上述した目的は、指令が「何れの先行する伝送区間とも異なる特定の通信リンク」を介して引き渡された情報として与えられる点に特徴があるノード装置によって達成される。
【００２７】
このようなノード装置では、上述した指令は、その指令の送信端や中継端が既存のリンクが敷設された地域に存在しない場合であっても、上述した特定の通信リンクを介して確実に与えられる。
したがって、保守や運用の多様な形態に対する柔軟な適応が可能となる。
上述した目的は、指令にはその指令の宛先に該当するノード装置の識別子が含まれ、かつ後続する伝送区間の余剰の伝送帯域を介して宛先が自局に該当しない指令を中継する点に特徴があるノード装置によって達成される。
【００２８】
このようなノード装置では、上述した指令は、クロスコネクトの対象となるリンクの余剰の伝送帯域が活用されることによって、この指令の宛先である他のノードに引き渡される。
したがって、構成の簡略化と、信頼性の向上とに併せて、コストの削減が図られる。
上述した目的は、指定されたリンクに対応して予め登録された個々のノード宛に、そのノードと共に登録されたパスを含む指令を一括して配信する点に特徴がある保守運用支援装置によって達成される。
【００２９】
このような保守運用支援装置では、上述した指定されたリンクに形成された全てのパスの両端に配置された個々のノードに対して、該当する全てのパスに代わる代替のパスを一括して通知することができる。
したがって、従来例に比べて、所望の伝送区間やリンクの解放にかかわる作業の省力化および効率化が図られる。
【００３０】
上述した目的は、指定されたリンクに対応して予め登録された個々のノード宛に、そのノードと共に登録されたパスと代替のリンクとを含む指令を一括して配信する点に特徴がある保守運用支援装置によって達成される。
このような保守運用支援装置では、指定されたリンクに形成された全てのパスの両端に配置された個々のノードに対して、該当する全てのパスと、これらのパスに代わる代替のパスが形成されるべき代替のリンクとを一括して通知することができる。
【００３１】
したがって、従来例に比べて、所望の伝送区間やリンクの解放にかかわる作業の省力化および効率化が図られる。
上述した目的は、リンクの全てが二重化されたリンクである点に特徴がある保守運用支援装置によって達成される。
このような保守運用支援装置では、何れのパスの両端に配置されたノードに対しても、該当するパスに代わる代替のパスが形成されるべきリンクを通知することが不要となる。
【００３２】
したがって、解放されるべき伝送区間やリンクの組み合わせや数の如何にかかわらず、既述の指令の伝送に伴うトラヒックの増加が緩和される。
上述した目的は、網の構成に適合した集合毎にその集合に属するリンクが予め登録され、かつ外部から指定された集合に対応して登録された全てのリンクを解放されるべきリンクとして識別される点に特徴がある保守運用支援装置によって達成される。
【００３３】
このような保守運用支援装置では、解放されるべきリンクや伝送区間の組み合わせは、既知の集合として予め定義される限り、外部から単一の集合として指定される。
したがって、上述したリンクや伝送区間の指定にかかわる操作が簡略化され、かつ保守や運用にかかわる作業の効率化が図られる。
上述した目的は、集合が「網の保守または運用にかかわる作業の対象となる伝送区間とリンクとの双方もしくは何れか一方の組み合わせ」である点に特徴がある保守運用支援装置によって達成される。
【００３４】
このような保守運用支援装置では、上述した作業の対象となる伝送区間やリンクの組み合わせは、保守や運用にかかわる作業が繁雑化することなく関連するノードに確度高く通知される。
したがって、保守や運用にかかわる多様な作業の形態に対する柔軟な適応に併せて、これらの作業の効率化が図られる。
【発明の効果】
【００３５】
上述したように本発明にかかわる第一および第二のノード装置では、既述の要求に応じて他のパスで代替されるべきパスが形成されたリンクが効率的に、かつ確度高く解放される。
また、本発明にかかわる第三および第六のノード装置では、所望の伝送区間の解放が円滑に、かつ確度高く図られる。
【００３６】
さらに、本発明にかかわる第四のノード装置では、何れのリンクに複数あるいは多数の現用のリンクが形成された場合であっても、既述の予備のリンクが系構成の下で定まる限り、これらのパスが形成されたリンクが効率的に、かつ確度高く解放される。
また、本発明にかかわる第五のノード装置では、個々のリンクの次群と、既述の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される。
【００３７】
さらに、本発明にかかわる第七のノード装置では、保守、運用その他の要求が優先され、その要求に応じて解放された特定の伝送区間やリンクが安定に確保される。
また、本発明にかかわる第八のノード装置では、既述の指令の送信端や中継端との間に専用の通信リンクが敷設されなければならない場合に比べて、構成の簡略化と信頼性の向上とに併せて、コストの削減が図られる。
【００３８】
さらに、本発明にかかわる第九のノード装置では、特定の通信リンクを介して保守や運用にかかわる監視および制御の業務が行われるべきサイトの地理的な制約が解消され、これらの保守や運用の多様な形態に対する柔軟な適応が可能となる。
また、本発明にかかわる第十のノード装置では、構成の簡略化と、信頼性の向上とに併せて、コストの削減が図られる。
【００３９】
さらに、本発明にかかわる第一および第二の保守運用支援装置では、従来例に比べて、所望の伝送区間やリンクの解放にかかわる作業の省力化および効率化が図られる。
また、本発明にかかわる第三の保守運用支援装置では、解放されるべき伝送区間やリンクの組み合わせおよび数の如何にかかわらず、既述の指令の伝送に伴うトラヒックの増加が緩和される。
【００４０】
さらに、本発明にかかわる第四の保守運用支援装置では、解放されるべきリンクや伝送区間の指定にかかわる操作が簡略化され、かつ保守や運用にかかわる作業の効率化が図られる。
また、本発明にかかわる第五の保守運用支援装置では、保守や運用にかかわる多様な作業の形態に対する柔軟な適応に併せて、これらの作業の効率化が図られる。
【００４１】
したがって、これらの発明が適用された伝送系では、総合的な信頼性が低下することなく、伝送品質およびサービス品質が高く維持される。
【発明を実施するための最良の形態】
【００４２】
まず、本発明にかかわるノード装置の原理を説明する図である。
図１は、本発明にかかわるノード装置の原理ブロック図である。
図１に示すノード装置は、制御手段１１、１１Ａ、クロスコネクト手段１２、１２Ａおよび記憶手段１３、１３Ａから構成される。
本発明にかかわる第一のノード装置の原理は、下記の通りである。
【００４３】
制御手段１１は、二重化され、かつ自局に収容された通信装置１０-1〜１０-nと他局に収容された通信装置との間における個々のパスの形成に供され得る全てのリンクについて、これらのパスが形成されるべき現用のリンクを個別に選択する。クロスコネクト手段１２は、全てのリンクの内、制御手段１１によって選択された現用のリンクを介して通信装置１０-1〜１０-nと他局に収容された通信装置との間にパスを形成する。制御手段１１は、代替のパスが形成されるべき全てのパスの識別子を含む指令が外部から与えられたときに、二重化の方式に適合した系構成に基づいて、これらのパスが個別に形成されるべき予備のリンクを選択する。
【００４４】
このようなノード装置では、保守、運用その他の要求に応じて代替されるべき全てのパスについて一括して外部から指定された全てのパスは、これらのパスに代わるパスが形成されるべき代替のリンクが何ら指定されなくても、上述した二重化の方式に適合した系構成の下で定まる予備のリンクに形成される。
したがって、これらのリンクの次群が高く、あるいは上述した要求に応じて代替されるべきパスの数が多数ある場合であっても、これらのパスが形成されたリンクが効率的に、かつ確度高く解放される。
【００４５】
本発明にかかわる第二のノード装置の原理は、下記の通りである。
制御手段１１Ａは、自局に収容された通信装置１０-1〜１０-nと他局に収容された通信装置との間における個々のパスの形成に供され得る全てのリンクの内、これらのパスが形成されるべきリンクを個別に選択する。クロスコネクト手段１２Ａは、全てのリンクの内、制御手段１１Ａによって選択されたリンクを介して通信装置１０-1〜１０-nと他局に収容された通信装置との間にパスを形成する。制御手段１１Ａは、代替のパスが形成されるべき全てのパスと、これらの代替のパスが形成されるべき代替のリンクとの識別子を含む指令が外部から与えられたときに、これらの代替のリンクを優先的に選択する。
【００４６】
このようなノード装置では、保守、運用その他の要求に応じて代替されるべき全てのパスについて一括して外部から指定され、これらのパスに代わるパスが形成されるべき代替のリンクに代替のパスを形成することができる。
したがって、上述した代替のリンクの次群が高く、あるいはこれらの代替のパスで代替されるべきパスの数が多数あるばかりではなく、物理的なリンクが如何なる形態で冗長に構成された場合であっても、既述の代替のリンクが系構成の下で定まる限り、これらのパスが形成されたリンクが効率的に、かつ確度高く解放される。
【００４７】
本発明にかかわる第三のノード装置の原理は、下記の通りである。
指令に含まれる識別子で示され、かつ代替のリンクに形成されるべきパスは、  特定の伝送区間に形成された全てのパスである。
このようなノード装置では、上述した特定の伝送区間に形成された全てのパスは、何れもこの特定の伝送区間を含まない代替のリンクに形成された他のパスで代替される。
【００４８】
したがって、所望の伝送区間の解放が円滑に、かつ確度高く図られる。
本発明にかかわる第四のノード装置の原理は、下記の通りである。
制御手段１１は、二重化され、かつ自局に収容された通信装置１０-1〜１０-nと他局に収容された通信装置との間における個々のパスの形成に供され得る全てのリンクについて、これらのパスが形成されるべきリンクを個別に選択する。クロスコネクト手段１２は、全てのリンクの内、制御手段１１によって選択されたリンクを介して通信装置１０-1〜１０-nと他局に収容された通信装置との間にパスを形成する。記憶手段１３は、並行して解放され得るリンクの集合毎に、その集合に属するリンクに形成された全てのパスの識別子が登録される。制御手段１１は、解放されるべき現用のリンクの識別子の集合を示す指令が外部から与えられたときに、二重化の方式に適合した系構成に基づいて、その集合に対応付けられて記憶手段１３に登録された識別子で示される全てのパスが個別に形成されるべき予備のリンクを選択する。
【００４９】
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列と、既述の二重化の方式に適合して系構成とに基づいて自立的に選択される。
【００５０】
したがって、個々のリンクの次群と、上述した保守、運用その他の要求に応じて代替されるべきパスの数と、物理的なリンクの冗長な構成の形態との如何にかかわらず、何れのリンクに複数あるいは多数の現用のリンクが形成された場合であっても、既述の予備のリンクが系構成の下で定まる限り、これらのパスが形成されたリンクが効率的に、かつ確度高く解放される。
【００５１】
本発明にかかわる第五のノード装置の原理は、下記の通りである。
制御手段１１Ａは、自局に収容された通信装置１０-1〜１０-nと他局に収容された通信装置との間における個々のパスの形成に供され得る全てのリンクの内、これらのパスが形成されるべきリンクを個別に選択する。クロスコネクト手段１２Ａは、全てのリンクの内、制御手段１１Ａによって選択されたリンクを介して通信装置１０-1〜１０-nと他局に収容された通信装置との間にパスを形成する。記憶手段１３Ａには、並行して解放され得るリンクの集合毎に、その集合に属するリンクに形成された全てのパスに対して、この集合に属さず、これらのパスに代わる個々の代替のパスが形成されるべき代替のリンクの識別子が登録される。制御手段１１Ａは、解放されるべきリンクの識別子の集合を示す指令が外部から与えられたときに、その集合に対応付けられて記憶手段１３Ａに登録された識別子で示される全てのパスと全てのリンクとを特定し、これらの全てのパスについて、代替のリンクを優先的に選択する。
【００５２】
このようなノード装置では、そのノード装置が始点または終点に該当すると共に、保守、運用その他の要求に応じて代替されるべき全てのパスと、これらのパスに代わるパスが形成されるべき予備のリンクとは、外部から一括して指定され、かつこれらのパスが形成されたリンクの識別子の列に基づいて自立的に選択される。
したがって、個々のリンクの次群と、上述した保守、運用その他の要求に応じて代替されるべきパスの数と、物理的なリンクの冗長な構成の形態との如何にかかわらず、何れのリンクに複数あるいは多数の現用のリンクが形成されている場合であっても、これらのパスが形成されたリンクが効率的に、かつ確度高く解放される。
【００５３】
本発明にかかわる第六のノード装置の原理は、下記の通りである。
指令に含まれる識別子で示され、かつ解放されるべきリンクは、特定の伝送区間に形成された全てのリンクである。
このようなノード装置では、上述した特定の伝送区間に形成された全てのパスは、何れもこの特定の伝送区間を含まない代替のリンクに形成された他のパスで代替される。
【００５４】
したがって、所望の伝送区間の解放が円滑に、かつ確度高く図られる。
本発明にかかわる第七のノード装置の原理は、下記の通りである。
クロスコネクト手段１２、１２Ａは、制御手段１１、１１Ａによって選択されたリンクに形成されたパスの更新を保留する。
このようなノード装置では、保守、運用その他の要求に応じた特定の伝送区間やリンクの解放を目的として代替のリンクに形成された全てのパスは、障害、トラヒックの分布の変動、輻輳その他の事象が発生した場合であっても、他のリンクに形成された他のパスで代替されることなく維持される。
【００５５】
したがって、上述した保守、運用その他の要求が優先され、その要求に応じて解放された特定の伝送区間やリンクが安定に確保される。
本発明にかかわる第八のノード装置の原理は、下記の通りである。
指令は、先行する伝送区間に形成されたリンクの余剰の伝送帯域を介して引き渡された情報である。
【００５６】
このようなノード装置では、上述した指令は、その指令の送信端や中継端との間に専用の通信リンクが敷設されていない場合であっても、確実に与えられる。
したがって、このような専用の通信リンクが敷設されなければならない場合に比べて、構成の簡略化と信頼性の向上とに併せて、コストの削減が図られる。
本発明にかかわる第九のノード装置の原理は、下記の通りである。
【００５７】
指令は、クロスコネクト手段１２、１２Ａに接続されたリンクの何れの先行する伝送区間とも異なる特定の通信リンクを介して引き渡された情報である。
このようなノード装置では、上述した指令は、その指令の送信端や中継端が既存のリンクが敷設された地域に存在しない場合であっても、上述した特定の通信リンクを介して確実に与えられる。
【００５８】
したがって、このような特定の通信リンクを介して保守や運用にかかわる監視および制御の業務が行われるべきサイトの地理的な制約が解消され、これらの保守や運用の多様な形態に対する柔軟な適応が可能となる。
本発明にかかわる第十のノード装置の原理は、下記の通りである。
指令には、その指令の宛先に該当するノード装置の識別子が含まれる。制御手段１１、１１Ａは、クロスコネクト手段１２、１２Ａを介して後続する伝送区間に、その伝送区間の余剰の伝送帯域を介して宛先が自局に該当しない指令を中継する。
【００５９】
このようなノード装置では、上述した指令は、クロスコネクトの対象となるリンクの余剰の伝送帯域が活用されることによって、この指令の宛先である他のノードに引き渡される。
したがって、構成の簡略化と、信頼性の向上とに併せて、コストの削減が図られる。
図２は、本発明にかかわる保守運用支援装置の原理ブロック図である。
【００６０】
図に示す保守運用支援装置は、記憶手段２１、２１Ａ、マンマシンインタフェース手段２２および指令配信手段２３、２３Ａから構成される。
本発明にかかわる第一の保守運用支援装置の原理は、下記の通りである。
記憶手段２１には、リンク毎に形成された全てのパスと、網に配置されたノードの内、これらのパスの両端に配置されたノードとが予め登録される。マンマシンインタフェース手段２２は、解放されるべきリンクの指定にかかわるマンマシンインタフェースをとる。指令配信手段２３は、マンマシンインタフェース手段２２を介して指定されたリンクに対応して記憶手段２１に登録された個々のノード宛に、そのノードと共にこの記憶手段２１に登録されたパスを含む指令を一括して配信する。
【００６１】
このような保守運用支援装置では、マンマシンインタフェース手段２２を介して指定されたリンクに形成された全てのパスの両端に配置された個々のノードに対して、該当する全てのパスに代わる代替のパスを一括して通知することができる。
したがって、上述した指令がパス毎にそのパスの両端に配置された個々のノード宛に送出され、これらの指令毎に保守や運用に携わる要員の手作業が行われなければならなかった従来例に比べて、所望の伝送区間やリンクの解放にかかわる作業の省力化および効率化が図られる。
【００６２】
本発明にかかわる第二の保守運用支援装置の原理は、下記の通りである。
記憶手段２１Ａには、リンク毎に形成された全てのパスと、これらのパスに代わる代替のパスが形成されるべき代替のリンクと、網に配置されたノードの内、これらの代替のパスの両端に配置されたノードとが予め登録される。マンマシンインタフェース手段２２は、解放されるべきリンクの指定にかかわるマンマシンインタフェースをとる。指令配信手段２３Ａは、マンマシンインタフェース手段２２を介して指定されたリンクに対応して記憶手段２１Ａに登録された個々のノード宛に、そのノードと共にこの記憶手段２１Ａに登録されたパスと代替のリンクとを含む指令を一括して配信する。
【００６３】
このような保守運用支援装置では、マンマシンインタフェース手段２２を介して指定されたリンクに形成された全てのパスを終端する個々のノードに対して、該当する全てのパスと、これらのパスに代わる代替のパスが形成されるべき代替のリンクとを一括して通知することができる。
したがって、上述した指令がパス毎にそのパスの両端に配置された個々のノード宛に送出され、これらの指令毎に保守や運用に携わる要員の手作業が行われなければならなかった従来例に比べて、所望の伝送区間やリンクの解放にかかわる作業の省力化および効率化が図られる。
【００６４】
本発明にかかわる第三の保守運用支援装置の原理は、下記の通りである。
リンクの全てが二重化されたリンクであるので、これらのリンクの系構成が個々のリンクの二重化の形態に基づいて個々のノードによって自立的に維持される限り、何れのパスの両端に配置されたノードに対しても、該当するパスに代わる代替のパスが形成されるべきリンクを通知することが不要となる。
【００６５】
したがって、解放されるべき伝送区間やリンクの組み合わせおよび数の如何にかかわらず、既述の指令の伝送に伴うトラヒックの増加が緩和される。
本発明にかかわる第四の保守運用支援装置の原理は、下記の通りである。
記憶手段２１、２１Ａには、網の構成に適合した集合毎に、その集合に属するリンクが予め登録される。マンマシンインタフェース手段２２は、外部から指定された集合に対応して記憶手段２４に登録された全てのリンクを解放されるべきリンクとして識別する。
【００６６】
このような保守運用支援装置では、解放されるべきリンクや伝送区間の組み合わせは、既知の集合として予め定義される限り、外部から単一の集合として指定される。
したがって、上述したリンクや伝送区間の指定にかかわる操作が簡略化され、かつ保守や運用にかかわる作業の効率化が図られる。
本発明にかかわる第五の保守運用支援装置の原理は、下記の通りである。
【００６７】
集合は、網の保守または運用にかかわる作業の対象となる伝送区間とリンクとの双方もしくは何れか一方の組み合わせである。
このような保守運用支援装置では、上述した作業の対象となる伝送区間やリンクの組み合わせは、既知の集合として予め定義される限り、保守や運用にかかわる作業が繁雑化することなく関連するノードに確度高く通知される。
【００６８】
したがって、保守や運用にかかわる多様な作業の形態に対する柔軟な適応に併せて、これらの作業の効率化が図られる。
以下、図面に基づいて本発明の実施形態について詳細に説明する。
［実施形態１］
図３ａおよび図３ｂは、本発明の第一の実施形態の動作を説明する図である。
【００６９】
図４は、本発明の第一の実施形態の動作フローチャートである。
以下、図３ａ、図３ｂ、図４および図９を参照して本発明の第一の実施形態の動作を説明する。
本実施形態の特徴は、図９に示す監視制御装置５１と、ノード装置４２-Cに備えられた監視制御部４８-Cとによって行われる下記の処理の手順にある。
【００７０】
保守や運用の過程において、例えば、伝送区間ａｂがノードの増設や試験の対象として解放されるべき場合には、監視制御装置５１は、下記の処理を行う。
・  操作者によって伝送区間ａｂが「解放されるべき伝送区間」として指定されると、その伝送区間ａｂを介して形成されている全ての「特定パス」を特定する（図４(1))。
・  上述した特定のパスを個別に代替し得る予備のパスを特定し（図４(2))、これらの特定のパスにかかわる系構成情報を更新する（図４(3))。
・  これらの特定のパスおよび予備のパスの識別子の対を該当する特定（予備）のパスの両端の何れかに配置されたノード装置毎に収集する（図４(4))。
・  ＬＡＮ５２を介して対応するノード装置宛に、これらの識別子の列を含む「一括切り替え指令」を順次を送出する（図４(5))。
【００７１】
一方、このような「一括切り替え指令」を受信したノード装置４２-Cでは、監視制御部４８-Cは、このような「一括切り替え指令」に含まれる個々の識別子の対で示される特定のパスを対応する予備のパスで代替することをパススイッチ部４５-Cに指令する。
すなわち、伝送区間ａｂに並行して形成された全ての特定のパスと、これらの特定のパスを代替し得る代替のパスとの識別子の対は、個々の特定のパス（代替のパス）の両端に配置されたノード装置毎に区分され、かつ上述した「一括切り替え指令」として対応するノード装置宛に一括して通知されると共に、各ノード装置では、この「一括切り替え指令」に含まれる個々の識別子の対で示される特定のパスを予備のパスで代替する処理が一括して行われる。
【００７２】
このように本実施形態によれば、伝送区間ａｂに並行して形成された全ての特定のパス（図３ａ(1)、(2))は、ハードウエアの構成が基本的に変更されることなく、かつ煩雑な手作業が介在することなく、自動的に適切な代替のパス（図３ｂ(1)、(2))で代替される。
したがって、パスが形成されるべき単位となる次群と、代替のパスで代替されるべき特定のパスの数との如何にかかわらず、従来例に比べて大幅に効率的に、かつ確度高く所望の伝送区間が解放される。
［実施形態２］
図５は、本発明の第二の実施形態の動作を説明する図である。
【００７３】
図６は、本発明の第二の実施形態の動作フローチャートである。
以下、図３ａ、図３ｂ、図５、図６および図９を参照して本発明の第二の実施形態の動作を説明する。
監視制御装置５１は、図７に示すように、二重化された網４１の右回りのリンクと左回りのリンクとに個別に対応した第一の面と第二の面とに、下記のフィールドの集合として構成されたレコードの列が予め格納されたパス管理テーブル５１ｔを有する。
・  該当するリンクに並行して形成されている全てのパスに個別に付与され、かつユニークであるパス識別子が格納された「パス識別子」フィールド
・  個々のパス識別子で示されるパスの始点と終点とにそれぞれ該当するノード装置を示すノード識別子（ここでは、簡単のため、既述の符号「４２」に付加された添え文字「ａ」〜「ｄ」の何れかとして表記されると仮定する。）が左端と右端とにそれぞれ配置され、これらのノード識別子の間にこのパスの経路の順に介在する個々のノード装置を示すノード識別子が配置されてなる経路識別子が格納された「経路識別子」フィールド
また、ノード装置４２-Cに備えられた監視制御部４８-Cは、図８に示すように、二重化された網４１の右回りのリンクと左回りのリンクとに個別に対応した面に、下記のフィールドの集合として構成されたレコードの列が予め格納された帯域管理テーブル４８ｔ-Cを有する。
・  上述した右回りのリンクと左回りのリンクとの内、対応するリンクの直近の伝送区間に付与され、かつユニークである伝送区間識別子（ここでは、簡単のため、該当する伝送区間の両端に配置された２つのノード装置の識別子がこのリンクの伝送方向の順に配置されることによって表記されると仮定する。）が格納された「伝送区間識別子」フィールド
・  ノード装置４２-Cが始点、終点、中継点の何れかに該当する全てのパスに個別に付与され、かつユニークであるパス識別子が格納された「パス識別子」フィールド
・  上述した始点、終点、中継点の内、対応するパスに対して上述したノード装置４２-Cが介在する形態（「中継」と「終端」との何れか一方）を示すパス種別が格納された「パス種別識別子」フィールド
・  該当するパスに固有の属性が格納された「属性」フィールド
ところで、保守や運用の過程において、例えば、伝送区間ａｂがノードの増設や試験の対象として解放されるべき場合には、監視制御装置５１は、下記の処理を行う。
・  操作者によって伝送区間ａｂが「解放されるべき伝送区間」として指定されると、パス管理テーブル５１ｔの面の内、「経路識別子」フィールドの値（ノード識別子の列）に文字列「ａｂ」が含まれる第一の面のレコードと、「経路識別子」フィールドの値に文字列「ｂａ」が含まれる第二の面のレコードとの有無を判別する（図６(1))。
・  このようにして第一の面に上記のレコードがあることが判別された場合には、その第一の面の全てのレコードの「経路識別子」フィールドの内、上述した文字列「ａｂ」が含まれる全ての「経路識別子」フィールドの値の先頭と末尾との何れかに配置された文字（「ａ」〜「ｄ」の何れか）に個別に対応するノード装置毎に、この第一の面に対応したリンクを示すユニークなリンク識別子（ここでは、簡単のため、既述の「右回りのリンク」を意味する文字「Ｗ」として表記されると仮定する。）を収集する（図６(2))。
・  同様に第二の面に上記のレコードがあることが判別された場合には、その第二の面の全てのレコードの「経路識別子」フィールドの内、上述した文字列「ｂａ」が含まれる全ての「経路識別子」フィールドの値の先頭と末尾との何れかに配置された文字（「ａ」〜「ｄ」の何れか）に個別に対応するノード装置毎に、この第二の面に対応したリンクを示すユニークなリンク識別子（ここでは、簡単のため、既述の「左回りのリンク」を意味する文字「Ｅ」として表記されると仮定する。）を収集する（図６(3))。
・  このように収集されたリンク識別子をノード装置毎にマージし（図６(4))、その結果として得られたリンク識別子（の列）を含む「個別切り替え指令」を該当するノード装置宛に送出する（図６(5))。
【００７４】
一方、ノード装置４２-a（４２-b）では、監視制御部４８-a（４８-b）は、上述した「個別切り替え指令」を受信すると、帯域管理テーブル４８ｔ-a（４８ｔ-b）の面の内、その「個別切り替え指令」に含まれるリンク識別子に対応する個々の面を参照することによって下記の処理を行う。
・  帯域管理テーブル４８ｔ-a（４８ｔ-b）の対応する面に含まれるレコードの内、「パス種別」フィールドの値が「終端」（既述の「始点」または「終点」）を意味し、かつ「属性」フィールドの値として後述する予備のパスによる代替の規制（例えば、「ロックアウト属性」等）が何ら定義されていない全てのレコードの「パス識別子」フィールドの値の列として、特定のパスを取得する。
・  これらの特定のパスの全てについて、対応する予備のパスで代替することをパススイッチ部４５-a（４５-b）に順次指令する。
・  このような予備のパスによる代替が完了した特定のパスについては、図３ａ、図３ｂに整合した矢印で図５に示されるように、帯域管理テーブル４８ｔ-a（４８ｔ-b）の該当する面およびレコードの整合を図り、かつ予め決められたアルゴリズムもしくは上述した「個別切り替え指令」に付加された所定の制御情報に基づいて、対応する「属性」フィールドに新たな属性（例えば、上述した「ロックアウト属性」）を設定し、あるいはその「属性」フィールドに先行して設定されていた属性を更新する。
・  上記の一連の処理の結果に整合し、かつ既述の系構成情報の更新に必要な情報を生成し、ＬＡＮ５２を介して監視制御装置５１宛に、その情報を送出する。
【００７５】
すなわち、上述した「個別切り替え指令」には、予備のパスで代替されるべき何らかの特定のパスが形成されているリンクのみのリンク識別子が重複することなく含まれ、これらの「個別切り替え指令」は、解放されるべき伝送区間ａｂを介して形成されている個々のパスの両端に配置されたノード装置のみに対して配信される。
さらに、このような「個別切り替え指令」を受信したノード装置は、個別に有する帯域管理テーブル４８ｔ-Cを参照することによって、自局が始点または終点に該当するパスのみを予備のパスで自立的に代替する。
【００７６】
したがって、本実施形態によれば、何れのリンクに複数の（あるいは多数の）パスが並行して形成され得る場合であっても、所望の伝送区間の解放が効率的に、かつ確度高く達成される。
なお、上述した各実施形態では、網４１は、新同期インタフェース方式（ＳＤＨ）、あるいはＳＯＮＥＴ(Synchronous Optical Network)に準拠したＵＰＳＲとして環状に形成され、かつ伝送方向が反対である２つの伝送路からなる二重化されたリンクとして構成されている。
【００７７】
しかし、本発明は、このような網４１に限定されず、系構成に基づいて代替のパスやリンクが適切に形成され、かつ同期転送モード（ＳＴＭ：Synchronous Transfer Mode）が適用される限り、如何なるディジタルハイアラキ、トポロジおよび冗長構成の下で形成された網にも同様に適用可能である。
また、上述した各実施形態では、解放されるべき伝送区間の何れを介して形成された現用のパスも、監視制御部４８-Cの配下で作動するパススイッチ４５-Cによって、予備のパスで代替されている。
【００７８】
しかし、本発明はこのような構成に限定されず、例えば、ノード装置４２-a 〜４２-dの間に形成された伝送区間の全てまたは一部に３本以上の物理的なリンク（伝送路）が敷設された場合には、監視制御部４８-Cの配下で作動するクロスコネクト部４４-C、あるいはその監視制御部４８-Cの主導の下で連係するクロスコネクト部４４-Cおよびパススイッチ４５-Cによって、同様に現用のパスが予備のパスで代替されてもよい。
【００７９】
なお、このような３本以上の物理的なリンクに基づいて網４１が冗長に構成される場合には、例えば、その網４１の系構成にかかわる処理が監視制御装置５１によって主導的に行われ、かつ図７に点線で示すように、この系構成の下で選定された代替リンクを示す代替リンク識別子がパス管理テーブル５１ｔに適宜格納されると共に、この代替リンク識別子が既述の「個別切り替え指令」に付加されて個々のノード装置に引き渡されることによって、上述したように、監視制御部４８-Cの配下で作動するクロスコネクト部４４-C、あるいはその監視制御部４８-Cの主導の下で連係するクロスコネクト部４４-Cおよびパススイッチ４５-Cによって、個々の現用のパスが予備のパスで代替されてもよい。
【００８０】
さらに、上述した各実施形態では、網４１は、既述のＵＰＳＲとして形成され、かつ常用冗長方式に基づいて冗長に構成されている。
しかし、このような網４１を構成するリンクの全てまたは一部は、ＢＬＳＲ(Bidirectional Line Switched Ring)として構成されてもよい。
また、上述した各実施形態では、ノード装置４２-a 〜４２-dと監視制御装置５１との間における既述の「一括切り替え指令」、「個別切り替え指令」その他の制御情報は、ＬＡＮ５２を介して相互に直接引き渡されている。
【００８１】
しかし、本発明はこのような構成に限定されず、例えば、ノード装置４２-a 〜４２-dの内、何れかの単一のノード装置（以下、「特定のノード装置」という。）のみがＬＡＮ５２に接続されている場合には、その特定のノード装置以外のノード装置と監視制御装置５１との間における上述した制御情報の引き渡しは、ノード装置４２-a 〜４２-dの間に形成された伝送区間の余剰の伝送帯域（既定のフレーム構成に適合したオーバヘッドの所定のフィールド、如何なるトラヒックにも割り付けられていない空のタイムスロットやトリビュータリユニットその他の如何なるものであってもよい。）を介してこれらのノード装置４２-a 〜４２-dが行う中継処理の下で達成されてもよい。
【００８２】
さらに、上述した各実施形態では、所望の伝送区間の全面的な解放を目的としてその伝送区間を介して形成された全ての現用のパスを予備のパスで代替する処理を効率的に、かつ確度高く達成するために、本発明が適用されている。
しかし、本発明は、このような伝送区間の全面的な解放に限定されず、例えば、保守や運用の過程において、所望の伝送区間（単一の伝送区間であっても複数の伝送区間であってもよい。）に敷設された特定のリンク（単一のリンクであっても複数のリンクであってもよい。）の解放が図られるべき場合にも、同様に適用可能である。
【００８３】
また、上述した各実施形態では、監視制御装置５１は、ノード装置４２-a 〜４２-dにＬＡＮ５２を介して接続された別体の装置として構成されている。
しかし、本発明はこのような構成に限定されず、監視制御装置５１は、これらのノード装置４２-a 〜４２-dの何れかと一体化され、あるいは保守や運用の作業に適合した形態でこれらのノード装置４２-a 〜４２-dに負荷分散や機能分散が図られることによって構成されてもよい。
【００８４】
さらに、本発明は、上述した実施形態に限定されるものではなく、本発明の範囲において、多様な形態による実施形態が可能であり、かつ構成装置の一部もしくは全てに如何なる改良が施されてもよい。
以下、上述した各実施形態に記載された発明を階層的・多面的に整理し、付記項として列記する。  
（付記１）  二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスの識別子を含む指令が外部から与えられたときに、前記二重化の方式に適合した系構成に基づいて、これらのパスが個別に形成されるべき予備のリンクを選択する
ことを特徴とするノード装置。
（付記２）  自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段とを備え、
前記制御手段は、
代替のパスが形成されるべき全てのパスと、これらの代替のパスが形成されるべき代替のリンクとの識別子を含む指令が外部から与えられたときに、これらの代替のリンクを優先的に選択する
ことを特徴とするノード装置。
（付記３）  付記１に記載のノード装置において、
前記指令に含まれる識別子で示され、かつ代替のリンクに形成されるべきパスは、
特定の伝送区間に形成された全てのパスである
ことを特徴とするノード装置。
（付記４）  付記２に記載のノード装置において、
前記指令に含まれる識別子で示され、かつ代替のリンクに形成されるべきパスは、
特定の伝送区間に形成された全てのパスである
ことを特徴とするノード装置。
（付記５）  二重化され、かつ自局に収容された通信装置と他局に収容された通信装置との間における個々のパスの形成に供され得る全てのリンクについて、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と
並行して解放され得るリンクの集合毎に、その集合に属するリンクに形成された全てのパスの識別子が登録された記憶手段とを備え、
前記制御手段は、
解放されるべきリンクの識別子の集合を示す指令が外部から与えられたときに、前記二重化の方式に適合した系構成に基づいて、その集合に対応付けられて前記記憶手段に登録された識別子で示される全てのパスが個別に形成されるべき予備のリンクを選択する
ことを特徴とするノード装置。
（付記６）  自局に収容された通信装置と他局に収容された通信装置との間における個々のパスの形成に供され得る全てのリンクの内、これらのパスが形成されるべきリンクを個別に選択する制御手段と、
前記全てのリンクの内、前記制御手段によって選択されたリンクを介して前記通信装置と前記他局に収容された通信装置との間にパスを形成するクロスコネクト手段と、
並行して解放され得るリンクの集合毎に、その集合に属するリンクに形成された全てのパスに対して、この集合に属さず、これらのパスに代わる個々の代替のパスが形成されるべき代替のリンクの識別子が登録された記憶手段とを備え、
前記制御手段は、
解放されるべきリンクの識別子の集合を示す指令が外部から与えられたときに、その集合に対応付けられて前記記憶手段に登録された識別子で示される全てのパスと全てのリンクとを特定し、これらの全てのパスについて、代替のリンクを優先的に選択する
ことを特徴とするノード装置。
（付記７）  付記５に記載のノード装置において、
前記指令に含まれる識別子で示され、かつ解放されるべきリンクは、
特定の伝送区間に形成された全てのリンクである
ことを特徴とするノード装置。
（付記８）  付記６に記載のノード装置において、
前記指令に含まれる識別子で示され、かつ解放されるべきリンクは、
特定の伝送区間に形成された全てのリンクである
ことを特徴とするノード装置。
（付記９）  付記１に記載のノード装置において、
前記クロスコネクト手段は、
前記制御手段によって選択されたリンクに形成されたパスの更新を保留する
ことを特徴とするノード装置。
（付記１０）  付記２に記載のノード装置において、
前記クロスコネクト手段は、
前記制御手段によって選択されたリンクに形成されたパスの更新を保留する
ことを特徴とするノード装置。
（付記１１）  付記５に記載のノード装置において、
前記クロスコネクト手段は、
前記制御手段によって選択されたリンクに形成されたパスの更新を保留する
ことを特徴とするノード装置。
（付記１２）  付記６に記載のノード装置において、
前記クロスコネクト手段は、
前記制御手段によって選択されたリンクに形成されたパスの更新を保留する
ことを特徴とするノード装置。
（付記１３）  付記１に記載のノード装置において、
前記指令は、
先行する伝送区間に形成されたリンクの余剰の伝送帯域を介して引き渡された情報である
ことを特徴とするノード装置。
（付記１４）  付記２に記載のノード装置において、
前記指令は、
先行する伝送区間に形成されたリンクの余剰の伝送帯域を介して引き渡された情報である
ことを特徴とするノード装置。
（付記１５）  付記５に記載のノード装置において、
前記指令は、
先行する伝送区間に形成されたリンクの余剰の伝送帯域を介して引き渡された情報である
ことを特徴とするノード装置。
（付記１６）  付記６に記載のノード装置において、
前記指令は、
先行する伝送区間に形成されたリンクの余剰の伝送帯域を介して引き渡された情報である
ことを特徴とするノード装置。
（付記１７）  付記１に記載のノード装置において、
前記指令は、
前記クロスコネクト手段に接続されたリンクの何れの先行する伝送区間とも異なる特定の通信リンクを介して引き渡された情報である
ことを特徴とするノード装置。
（付記１８）  付記２に記載のノード装置において、
前記指令は、
前記クロスコネクト手段に接続されたリンクの何れの先行する伝送区間とも異なる特定の通信リンクを介して引き渡された情報である
ことを特徴とするノード装置。
（付記１９）  付記５に記載のノード装置において、
前記指令は、
前記クロスコネクト手段に接続されたリンクの何れの先行する伝送区間とも異なる特定の通信リンクを介して引き渡された情報である
ことを特徴とするノード装置。
（付記２０）  付記６に記載のノード装置において、
前記指令は、
前記クロスコネクト手段に接続されたリンクの何れの先行する伝送区間とも異なる特定の通信リンクを介して引き渡された情報である
ことを特徴とするノード装置。
（付記２１）  付記１に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
（付記２２）  付記２に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
（付記２３）  付記５に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
（付記２４）  付記６に記載のノード装置において、
前記指令には、
その指令の宛先に該当するノード装置の識別子が含まれ、
前記制御手段は、
前記クロスコネクト手段を介して後続する伝送区間の余剰の伝送帯域を介して宛先が自局に該当しない指令を中継する
ことを特徴とするノード装置。
（付記２５）  リンク毎に形成され全てのパスと、網に配置されたノードの内、これらのパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段２１に登録された個々のノード宛に、そのノードと共にこの記憶手段に登録されたパスを含む指令を一括して配信する指令配信手段２３と
を備えたことを特徴とする保守運用支援装置。
（付記２６）  リンク毎に形成された全てのパスと、これらのパスに代わる代替のパスが形成されるべき代替のリンクと、網に配置されたノードの内、これらの代替のパスの両端に配置されたノードとが予め登録された記憶手段と、
解放されるべきリンクの指定にかかわるマンマシンインタフェースをとるマンマシンインタフェース手段と、
前記マンマシンインタフェース手段を介して指定されたリンクに対応して前記記憶手段に登録された個々のノード宛に、そのノードと共にこの記憶手段に登録されたパスと代替のリンクとを含む指令を一括して配信する指令配信手段と
を備えたことを特徴とする保守運用支援装置。
（付記２７）  付記２６に記載の保守運用支援装置において、
前記リンクの全てが二重化されたリンクである
ことを特徴とする保守運用支援装置。
（付記２８）  付記２５に記載の保守運用支援装置において、
前記記憶手段には、
前記網の構成に適合した集合毎に、その集合に属するリンクが予め登録され、
マンマシンインタフェース手段は、
外部から指定された集合に対応して前記記憶手段に登録された全てのリンクを前記解放されるべきリンクとして識別する
ことを特徴とする保守運用支援装置。
（付記２９）  付記２６に記載の保守運用支援装置において、
前記記憶手段には、
前記網の構成に適合した集合毎に、その集合に属するリンクが予め登録され、
マンマシンインタフェース手段は、
外部から指定された集合に対応して前記記憶手段に登録された全てのリンクを前記解放されるべきリンクとして識別する
ことを特徴とする保守運用支援装置。
（付記３０）  付記２８に記載の保守運用支援装置において、
前記集合は、
前記網の保守または運用にかかわる作業の対象となる伝送区間とリンクとの双方もしくは何れか一方の組み合わせである
ことを特徴とする保守運用支援装置。
（付記３１）  付記２９に記載の保守運用支援装置において、
前記集合は、
前記網の保守または運用にかかわる作業の対象となる伝送区間とリンクとの双方もしくは何れか一方の組み合わせである
ことを特徴とする保守運用支援装置。
【図面の簡単な説明】
【００８５】
【図１】本発明にかかわるノード装置の原理ブロック図である。
【図２】本発明にかかわる保守運用支援装置である。
【図３】本発明の第一の実施形態の動作を説明する図 である。
【図４】本発明の第一の実施形態の動作フローチャートである。
【図５】本発明の第二の実施形態の動作を説明する図である。
【図６】本発明の第二の実施形態の動作フローチャートである。
【図７】パス管理テーブルの構成を示す図である。
【図８】帯域管理テーブルの構成を示す図である。
【図９】新同期インタフェースが適用された網の構成例を示す図である。
【国際調査報告】
2004040853.tif 000012
2004040853.tif 000013
2004040853.tif 000014